(57)【要約】【課題】スター型に配線された既存の２線ケーブルを活用し、ロビー玄関子機と室内モニタ親機との間でデジタル通信を行うこと。【解決手段】第１制御部１０７は、待機状態において、第２制御部１１６から部屋番号情報および呼出信号を入力すると、部屋番号情報に対応する室内モニタ親機２００を通信相手として選択し、その旨を示す経路設定信号をケーブル選択接続部１０１に出力するとともに、接続要求を生成する。ケーブル選択接続部１０１は、経路設定信号に従って、通信相手の室内モニタ親機２００に接続する端子Ｔ１２−ｉと、受信ドライバ１１１および送信ドライバ１１０とを接続する。【選択図】図３
2019054446.tif 000002
【特許請求の範囲】
【請求項１】
複数の室内モニタ親機のそれぞれとデジタル通信を行う集合住宅用ドアホンシステムのロビー玄関子機であって、
スター型に配線された２線ケーブルを介して前記複数の室内モニタ親機のいずれかと接続する複数の端子と、
呼出先の室内モニタ親機を示す信号を入力した場合、前記呼出先の室内モニタ親機を通信相手として選択し、接続要求を生成する制御部と、
前記制御部の選択に従って、前記通信相手の室内モニタ親機に接続する端子と接続するケーブル選択接続部と、
前記ケーブル選択接続部および前記２線ケーブルを介して、前記通信相手の室内モニタ親機に前記接続要求を送信する送信部と、
を具備するロビー玄関子機。
【請求項２】
前記制御部は、前記通信相手の室内モニタ親機からの下り制御スロットを用いてフレーム同期をとる、
請求項１に記載のロビー玄関子機。
【請求項３】
前記下り制御スロットは、それぞれの室内モニタ親機から、常に、周期的に送信され、
前記送信部は、フレーム同期をとった後、前記通信相手の室内モニタ親機に前記接続要求を送信する、
請求項２に記載のロビー玄関子機。
【請求項４】
前記制御部は、前記呼出先の室内モニタ親機を示す信号の入力をトリガとして割り込み信号を生成し、
前記送信部は、前記通信相手の室内モニタ親機に前記割り込み信号を送信し、
前記下り制御スロットは、前記割り込み信号を受信した室内モニタ親機から送信される、
請求項２に記載のロビー玄関子機。
【請求項５】
前記制御部は、前記通信相手の室内モニタ親機との間の２線ケーブルの反転検出を行い、
前記通信相手の室内モニタ親機との間の２線ケーブルが逆接続である場合、受信データおよび送信データの少なくとも一方の極性を反転させるデータ反転部をさらに具備する、
請求項２から４のいずれかに記載のロビー玄関子機。
【請求項６】
前記制御部は、前記呼出先の室内モニタ親機を示す信号の入力をトリガとして、呼出音をスピーカから出力させる、
請求項１から５のいずれかに記載のロビー玄関子機。
【請求項７】
前記制御部は、前記呼出先の室内モニタ親機に対応する部屋番号を示すメッセージ情報を表示部に表示させる、
請求項１から６のいずれかに記載のロビー玄関子機。
【請求項８】
前記制御部は、前記接続要求を送信してから一定時間経過しても前記通信相手の室内モニタ親機からの接続要求確認を捕捉できない場合、前記呼出先の室内モニタ親機を示す信号を入力のリトライを促すメッセージを表示部に表示させる、
請求項１から７のいずれかに記載のロビー玄関子機。
【請求項９】
前記室内モニタ親機および前記ロビー玄関子機がそれぞれ内部の水晶発振子の発振周波数を基準に生成した前記デジタル通信のビットレートに対応する通信用クロックを生成し、
前記発振周波数の電圧振幅信号を出力する水晶発振部と、
前記発振周波数を基準に生成した計測用クロックを用いて、前記室内モニタ親機の通信用クロックを基準に前記室内モニタ親機から送信された規定のデータ数が占める第１時間と、前記ロビー玄関子機側の通信用クロックでカウントした前記規定のデータ数に相当する第２時間との時間差を減らすように、前記水晶発振部の発振周波数を調整する水晶発振周波数制御部と、
を具備し、
前記水晶発振周波数制御部は、
前記室内モニタ親機毎にレジスタに設定した、前回呼出時に調整された前記水晶発振部の発振周波数に対応する設定値をメモリに記憶させ、
前記呼出先の室内モニタ親機を示す信号を入力した場合、前記メモリに記憶された、前記通信相手の室内モニタ親機に対する前記設定値を前記レジスタに設定する、
請求項１から８のいずれかに記載のロビー玄関子機。
【請求項１０】
前記室内モニタ親機から、前記ロビー玄関子機のカメラでのモニタを要求するトリガが入力されると、前記室内モニタ親機から２線ケーブルのそれぞれに重畳される直流の第１の電位と直流の第２の電位の電位差である電圧を検出する電圧検出部をさらに有し、
前記電圧検出部が閾値以上の電圧を検出した場合、前記制御部は、前記閾値以上の電圧を供給している室内モニタ親機を通信相手として選択する、
請求項１から９のいずれかに記載のロビー玄関子機。
【請求項１１】
ロビー玄関子機が、スター型に配線された２線ケーブルを介して、複数の室内モニタ親機のそれぞれとデジタル通信を行う集合住宅用ドアホンシステムであって、
前記ロビー玄関子機は、
呼出先の室内モニタ親機を示す信号を入力した場合、前記呼出先の室内モニタ親機との通信路を開通させ、
前記ロビー玄関子機と前記呼出先の室内モニタ親機とが、同期通信を開始する、
ドアホンシステム。
【請求項１２】
前記複数の室内モニタ親機のすべてと前記ロビー玄関子機の少なくとも一方は、
通信相手との間の２線ケーブルの反転検出を行う制御部と、
前記通信相手との間の２線ケーブルが逆接続である場合、受信データおよび送信データの少なくとも一方の極性を反転させるデータ反転部と、
を具備する請求項１１に記載のドアホンシステム。
【請求項１３】
前記複数の室内モニタ親機のすべてと前記ロビー玄関子機は、
受信データをデコードする受信データ処理部と、
デコードデータに含まれる、既知のデータ列であるシンクパターンを用いて前記２線ケーブルの反転検出を行い、前記２線ケーブルが逆接続であると判定した場合、前記シンクパターン以降のデコードデータを反転する極性設定部と、
を具備する請求項１１に記載のドアホンシステム。
【請求項１４】
前記各室内モニタ親機は、
電源オンの状態では、常に、周期的に下り制御スロットを送信し、
前記ロビー玄関子機は、
前記呼出先以外の室内モニタ親機との通信路を遮断し、かつ、前記呼出先以外の室内モニタ親機の２線ケーブルに繋がる２つの信号ライン間を終端抵抗でフローティングの状態で終端し、
前記呼出先の室内モニタ親機からの下り制御スロットを用いてフレーム同期をとり、
フレーム同期をとった後、前記呼出先の室内モニタ親機に接続要求を送信する、
請求項１１に記載のドアホンシステム。
【請求項１５】
ロビー玄関子機が、スター型に配線された２線ケーブルを介して、複数の室内モニタ親機のそれぞれとデジタル通信を行う集合住宅用ドアホンシステムの通信方法であって、
前記ロビー玄関子機が、
呼出先の室内モニタ親機を示す信号を入力した場合、前記呼出先の室内モニタ親機との通信路を開通させ、
前記ロビー玄関子機と前記呼出先の室内モニタ親機とが、同期通信を開始する、
通信方法。
【発明の詳細な説明】
【技術分野】
【０００１】
本開示は、デジタル通信を行う集合住宅用のロビー玄関子機、該ロビー玄関子機を含むドアホンシステム、および、該ドアホンシステムの通信方法に関する。
【背景技術】
【０００２】
一般的に、ドアホンシステムは、低コスト、簡単設置のために、玄関子機と室内モニタ親機とが２線ケーブルにより接続される。戸建て住宅では、２線ケーブルで接続された玄関子機と室内モニタ親機との間で、デジタル通信方式により大容量のデータを送受信することで、映像の高画質化を可能にしたドアホンシステムが普及し始めている。
【０００３】
マンション等の集合住宅では、アナログ通信方式のドアホンシステムが主流である（特許文献１参照）。このようなドアホンシステムでは、１台のロビー玄関子機が、室内モニタ親機のそれぞれと接続するように、２線ケーブルがスター型に配線されている。ロビー玄関子機は、機械的（ハード的）なスイッチにより２線ケーブルを切替え、特定の室内モニタ親機とアナログ通信を行う。
【０００４】
今後、集合住宅用ドアホンシステムでも、アナログ通信方式からデジタル通信方式への切り替えが進むと考えられる。特許文献２には、ロビー玄関子機（ロビーインターホン）と室内モニタ親機（インターホン親機）とを、分配器を介して接続するように、デイジーチェーン型に配線されたデジタル通信方式の集合住宅用ドアホンシステムが開示されている。
【先行技術文献】
【特許文献】
【０００５】
【特許文献１】特開２０１０−２３９５４３号公報
【特許文献２】特開２００９−１５２８９６号公報
【発明の概要】
【発明が解決しようとする課題】
【０００６】
集合住宅用ドアホンシステムを、アナログ通信方式のものからデジタル通信方式のものに切り替える際、スター型に配線された既存の２線ケーブルを残し、装置（ロビー玄関子機および室内モニタ）のみを取り替えたいという要望がある。
【０００７】
しかしながら、これまで、スター型に配線された既存の２線ケーブルを活用できるデジタル通信方式の集合住宅用ドアホンシステムは開示されていない。なお、特許文献２に記載されたロビー玄関子機は、機械的（ハード的）なスイッチを具備していないため、スター型配線のドアホンシステムに適用することはできない。
【０００８】
本開示の目的は、スター型に配線された既存の２線ケーブルを活用し、室内モニタ親機との間でデジタル通信を行うことができる集合住宅用のロビー玄関子機、該ロビー玄関子機を含むドアホンシステム、および、該ドアホンシステムの通信方法を提供することである。
【課題を解決するための手段】
【０００９】
本開示のロビー玄関子機は、複数の室内モニタ親機のそれぞれとデジタル通信を行う集合住宅用ドアホンシステムのロビー玄関子機であって、スター型に配線された２線ケーブルを介して前記複数の室内モニタ親機のいずれかと接続する複数の端子と、呼出先の室内モニタ親機を示す信号を入力した場合、前記呼出先の室内モニタ親機を通信相手として選択し、接続要求を生成する制御部と、前記制御部の選択に従って、前記通信相手の室内モニタ親機に接続する端子と接続するケーブル選択接続部と、前記ケーブル選択接続部および前記２線ケーブルを介して、前記通信相手の室内モニタ親機に前記接続要求を送信する送信部と、を具備する。
【００１０】
本開示のドアホンシステムは、ロビー玄関子機が、スター型に配線された２線ケーブルを介して、複数の室内モニタ親機のそれぞれとデジタル通信を行う集合住宅用ドアホンシステムであって、前記ロビー玄関子機は、呼出先の室内モニタ親機を示す信号を入力した場合、前記呼出先の室内モニタ親機との通信路を開通させ、前記ロビー玄関子機と前記呼出先の室内モニタ親機とが、同期通信を開始する。
【００１１】
本開示の通信方法は、ロビー玄関子機が、スター型に配線された２線ケーブルを介して、複数の室内モニタ親機のそれぞれとデジタル通信を行う集合住宅用ドアホンシステムの通信方法であって、前記ロビー玄関子機が、呼出先の室内モニタ親機を示す信号を入力した場合、前記呼出先の室内モニタ親機との通信路を開通させ、前記ロビー玄関子機と前記呼出先の室内モニタ親機とが、同期通信を開始する。
【発明の効果】
【００１２】
本開示によれば、デジタル通信方式の集合住宅用ドアホンシステムにおいて、スター型に配線された既存の２線ケーブルを活用し、ロビー玄関子機と室内モニタ親機との間でデジタル通信を行うことができる。
【図面の簡単な説明】
【００１３】
【図１】本開示の実施の形態１に係るドアホンシステムの構成を示すシステム構成図
【図２Ａ】本開示の実施の形態１に係るフレーム構成、タイムスロット構成を示すフレーム構成図
【図２Ｂ】本開示の実施の形態１に係る制御データのフィールド構成を示す図
【図２Ｃ】本開示の実施の形態１に係る制御データのリザーブフィールドのパターンの一例を示す図
【図２Ｄ】本開示の実施の形態１に係る割り込み信号のフィールド構成を示す図
【図２Ｅ】本開示の実施の形態１に係る割り込み信号のデータフィールドのパターンの一例を示す図
【図２Ｆ】本開示の実施の形態１に係る制御スロットの構成を示す図
【図２Ｇ】本開示の実施の形態１に係る制御スロット判別用データフィールドのパターンの一例を示す図
【図２Ｈ】本開示の実施の形態１に係る接続要求用データが搭載されたスロットの構成を示す図
【図２Ｉ】本開示の実施の形態１に係る接続要求確認用データが搭載されたスロットの構成を示す図
【図３】本開示の実施の形態１に係るロビー玄関子機の構成を示すブロック図
【図４】本開示の実施の形態１に係るロビー玄関子機のケーブル選択接続部の内部構成を示すブロック図
【図５】本開示の実施の形態１に係る室内モニタ親機の構成を示すブロック図
【図６】本開示の実施の形態１に係る戸前玄関子機の構成を示すブロック図
【図７】本開示の実施の形態１において使用されるプリアンブルデータの一例を示す図
【図８】本開示の実施の形態１に係るロビー玄関子機の受信データ処理部の内部構成を示すブロック図
【図９】本開示の実施の形態１に係るロビー玄関子機の同期検出処理の一例を示す図
【図１０】本開示の実施の形態１に係るロビー玄関子機のユニークパターンの検出を説明する図
【図１１】本開示の実施の形態１に係る２線ケーブルの反転検出処理の動作の一例を示すフローチャート
【図１２】本開示の実施の形態１に係る同期方式の接続処理のシーケンス図（接続成功）
【図１３】本開示の実施の形態１に係る同期方式の接続処理のシーケンス図（接続失敗）
【図１４】本開示の実施の形態１に係る非同期方式の接続処理のシーケンス図（接続成功）
【図１５】本開示の実施の形態１に係る非同期方式の接続処理のシーケンス図（接続失敗）
【図１６】本開示の実施の形態１に係るロビー玄関子機における接続処理のフロー図
【図１７】本開示の実施の形態１に係る室内モニタ親機における接続処理のフロー図
【図１８】本開示の実施の形態１の水晶発振周波数の差による規定数のフレームの時間差を説明する図
【図１９】本開示の実施の形態１の玄関子機の水晶発振周波数制御部の内部構成を示すブロック図
【図２０】本開示の実施の形態１の玄関子機の水晶発振部の内部構成を示すブロック図
【図２１】２線ケーブルが正接続の場合の様子を示す模式図
【図２２】２線ケーブルが逆接続の場合の様子を示す第１の模式図
【図２３】２線ケーブルが逆接続の場合の様子を示す第２の模式図
【図２４】２線ケーブルが逆接続の場合の様子を示す第３の模式図
【図２５】２線ケーブルが逆接続の場合の様子を示す第４の模式図
【図２６】２線ケーブルが逆接続の場合の様子を示す第５の模式図
【図２７】本開示の実施の形態１に係るロビー玄関子機のデータ再生部の内部構成を示すブロック図
【図２８】本開示の実施の形態１に係る基本通信フレーム内のタイムスロット割当を説明する図
【図２９】本開示の実施の形態２に係るロビー玄関子機の構成を示すブロック図
【図３０】本開示の実施の形態２に係るロビー玄関子機のケーブル選択接続部の内部構成を示すブロック図
【図３１】本開示の実施の形態２に係る室内モニタ親機の構成を示すブロック図
【図３２】本開示の実施の形態２に係る室内モニタ親機のケーブル接続部の内部構成を示すブロック図
【発明を実施するための形態】
【００１４】
以下、図面を適宜参照して、本開示の実施の形態について、図面を用いて詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、添付図面および以下の説明は、当業者が本開示を十分に理解するために、提供されるのであって、これらにより特許請求の範囲に記載の主題を限定することは意図されていない。
【００１６】
（実施の形態１）
＜システムの概要＞
まず、本開示の一実施の形態に係るドアホンシステムの概要について、図１を用いて説明する。図１に示すように、ドアホンシステム１は、ロビー玄関子機１００と、Ｎ個（Ｎは複数、図１ではＮ＝４）の室内モニタ親機２００−１〜Ｎと、Ｎ個の戸前玄関子機３００−１〜Ｎと、から構成される。ロビー玄関子機１００は、集合住宅の来訪者が訪問先の居住者を呼び出すために使用される装置であり、例えば、集合住宅の建物の１階の共用玄関（ロビー）に設置される。室内モニタ親機２００は、来訪者からの呼び出しを受けて居住者が応答するための装置であり、各部屋（あるいは各住戸）の中に設置される。戸前玄関子機３００は、集合住宅の来訪者が訪問先の玄関から居住者を呼び出すために使用される装置であり、各部屋（あるいは各住戸）の外（玄関先）に設置される。
【００１７】
ロビー玄関子機１００は、Ｎ個の室内モニタ親機２００のそれぞれと、２線ケーブルを介して、スター型配線で接続される。各部屋の室内モニタ親機２００は、戸前玄関子機３００と、２線ケーブルを介して、１対１で接続される。
【００１８】
ロビー玄関子機１００は、通信相手の室内モニタ親機２００に映像信号および音声信号を送信する。戸前玄関子機３００は、接続する室内モニタ親機２００に映像信号および音声信号を送信する。
【００１９】
各室内モニタ親機２００は、ロビー玄関子機１００、戸前玄関子機３００に音声信号を送信する。また、各室内モニタ親機２００は、ロビー玄関子機１００、戸前玄関子機３００のカメラを制御する。
【００２０】
なお、以下の説明において、ロビー玄関子機１００から室内モニタ親機２００への方向、および、戸前玄関子機３００から室内モニタ親機２００への方向を「上り方向」といい、上り方向に送信されるパケット、信号をそれぞれ「上りパケット」、「上り信号」という。また、室内モニタ親機２００からロビー玄関子機１００への方向、および、室内モニタ親機２００から戸前玄関子機３００への方向を「下り方向」といい、下り方向に送信されるパケット、信号をそれぞれ「下りパケット」、「下り信号」という。
【００２１】
＜同期通信時のフレーム構成、タイムスロット構成＞
次に、本実施の形態に係る同期通信時のフレーム構成、タイムスロット構成について図２Ａを用いて説明する。図２Ａに示すように、各フレームは、48000bitの領域を有し、10ms周期、4.8Mbpsのビットレートであり、２４個のタイムスロットに分割される。したがって、各タイムスロットは、2000bit=250byteの領域を有し、0.416ms周期、4.8Mbpsのビットレートになる。
【００２２】
各タイムスロットは、54byteのガードスペース、4byteのプリアンブルフィールド（Preamble）、2byteのシンクフィールド（Sync）、8byteの制御データフィールド、MAX180byteの可変長のユーザデータフィールド、2byteのチェックサムフィールドに分けられている。
【００２３】
ガードスペースは、伝播遅延時間差やクロックジッタ等によるタイムスロットの衝突を避けるための時間である。プリアンブルフィールドには、所定のユニークパターンを有するプリアンブルデータが書き込まれる。
【００２４】
シンクフィールドには、所定のシンクパターンが書き込まれる。シンクパターンとは、シンクフィールドに配置された既知のデータ列であって、受信データ受信時の同期を確立するために用いられ、受信データが正確なタイミングで受信されたことを確認するために用いられるデータパターンである。
【００２５】
制御データフィールドには、制御データが書き込まれる。ユーザデータフィールドには、ユーザデータ（画像データ、音声データ）が書き込まれる。チェックサムフィールドには、誤り検出符号の一種であるチェックサムが書き込まれる。以下の説明において、制御データ、ユーザデータおよびチェックサムを、単に「データ部」という場合もある。なお、上記データ部の構成は、一例であり、信号処理の都合により、その構成が異なる場合もある。
【００２６】
＜制御データのフィールド構成＞
次に、本実施の形態に係る制御データのフィールド構成について図２Ｂを用いて説明する。
【００２７】
図２Ｂに示すように、8byteの制御データフィールドは、2byteのリザーブフィールド、1byteの送信先ＩＤフィールド、1byteの送信元ＩＤフィールド、1byteのコマンドフィールド、1byteのユーザデータ長フィールド、2byteの他の制御データ（リザーブ等）のフィールドに分けられている。
【００２８】
なお、シンクフィールドの後の最初の1byteである、制御データのリザーブフィールドは、例えば、図２Ｃに示すように、すべてのbitが「０」のパターン（0x00）である。
【００２９】
＜割り込み信号のフィールド構成＞
次に、本実施の形態に係る割り込み信号のフィールド構成について図２Ｄを用いて説明する。
【００３０】
図２Ｄに示すように、割り込み信号は、4byteのプリアンブルフィールド（Preamble）、2byteのシンクフィールド（Sync）、1byteの割り込みデータフィールドに分けられている。割り込み信号において使用されるプリアンブルとシンクパターンは、同期通信時に使用されるものと同一である。
【００３１】
なお、割り込み信号のシンクフィールドの後の最初の1byteである割り込みデータフィールドは、例えば、図２Ｅに示すように、奇数番目のbitが「０」で偶数番目のbitが「１」のパターン（0x55）、あるいは、奇数番目のbitが「１」で偶数番目のbitが「０」のパターン（0xAA）である。
【００３２】
＜制御スロットのフィールド構成＞
図２Ｆに示すように、制御スロットは、4byteのプリアンブルフィールド（Preamble）、2byteのシンクフィールド（Sync）、8byteの制御データフィールド、2byteのチェックサムフィールドに分けられている。8byteの制御データフィールドは、1byteの制御スロット判別用データフィールド、1byteのリザーブフィールド、1byteの送信先ＩＤフィールド、1byteの送信元ＩＤフィールド、1byteのコマンドフィールド、1byteのユーザデータ長フィールド、2byteの他の制御データ（リザーブ等）のフィールドに分けられている。なお、チェックサム以降は全てガードスペースとなる。制御スロットにおいて使用されるプリアンブルとシンクパターンは、同期通信時に使用されるものと同一である。
【００３３】
制御スロットのシンクフィールドの後の最初の1byteである制御スロット判別用データフィールドは、例えば、図２Ｇに示すように、すべてのbitが「１」のパターン（0xFF）である。
【００３４】
＜接続要求用データが搭載されたスロットのフィールド構成＞
図２Ｈに示すように、ロビー玄関子機１００からの接続要求用データが搭載されたスロットは、4byteのプリアンブルフィールド（Preamble）、2byteのシンクフィールド（Sync）、8byteの制御データフィールド、2byteのチェックサムフィールドに分けられている。8byteの制御データフィールドは、1byteのリザーブフィールド、1byteの接続要求用データ、1byteの送信先ＩＤフィールド、1byteの送信元ＩＤフィールド、1byteのコマンドフィールド、1byteのユーザデータ長フィールド、2byteの他の制御データ（リザーブ等）のフィールドに分けられている。なお、チェックサム以降は全てガードスペースとなる。接続要求用データが搭載されたスロットにおいて使用されるプリアンブルとシンクパターンは、同期通信時に使用されるものと同一である。この接続要求用データが搭載されたスロットは、例えばＳＬ２３（図２８参照）を使用し、その場合、ＳＬ２３は上りスロットとなる。
【００３５】
接続要求用データが搭載されたスロットのシンクフィールドの後の制御データフィールドの2byte目である接続要求用データフィールドは、例えば、図２Ｇに示した制御スロット判別用データフィールドと同様に、すべてのbitが「１」のパターン（0xFF）である。
【００３６】
＜接続要求確認用データが搭載されたスロットのフィールド構成＞
図２Ｉに示すように、室内モニタ親機２００からの接続要求確認用データが搭載されたスロットは、4byteのプリアンブルフィールド（Preamble）、2byteのシンクフィールド（Sync）、8byteの制御データフィールド、2byteのチェックサムフィールドに分けられている。8byteの制御データフィールドは、1byteのリザーブフィールド、1byteの接続要求確認用データ、1byteの送信先ＩＤフィールド、1byteの送信元ＩＤフィールド、1byteのコマンドフィールド、1byteのユーザデータ長フィールド、2byteの他の制御データ（リザーブ等）のフィールドに分けられている。なお、チェックサム以降は全てガードスペースとなる。接続要求確認用データが搭載されたスロットにおいて使用されるプリアンブルとシンクパターンは、同期通信時に使用されるものと同一である。この接続要求確認用データが搭載されたスロットは、例えば制御スロットを使用する。
【００３７】
接続要求確認用データが搭載されたスロットのシンクフィールドの後の制御データフィールドの2byte目である接続要求確認用データフィールドは、例えば、図２Ｅに示した割り込みデータフィールドと同様に、奇数番目のbitが「０」で偶数番目のbitが「１」のパターン（0x55）である。
【００３８】
＜ロビー玄関子機の構成＞
次に、本実施の形態のロビー玄関子機１００の構成について、図３のブロック図を用いて説明する。なお、ロビー玄関子機１００は、室内モニタ親機２００に繋がる２線ケーブルが接続される端子Ｔ１２−１〜Ｎ（図３ではＮ＝４）を有し、最大Ｎ台の室内モニタ親機２００と２線ケーブルを介してスター型配線により接続できる。
【００３９】
図３に示すように、ロビー玄関子機１００は、ケーブル選択接続部１０１、キー入力部１０２、スピーカ１０３、マイク１０４、音声Ｉ／Ｆ（インターフェイス）部１０５、カメラ部１０６および第１制御部１０７を有する。第１制御部１０７は、内部に、第１クロック生成部１３１、パケット生成部１３２、データ再生部１３３、接続状態検出部１３４、水晶発振周波数制御部１３５、水晶発振部１３６を有する。また、玄関子機１００は、送信データ処理部１０８、送信データ反転部１０９、送信ドライバ１１０、受信ドライバ１１１、受信データ反転部１１２、受信データ処理部１１３、メモリ部１１４、表示部１１５、第２制御部１１６および電源部１５０を有する。第２制御部１１６は、呼出信号通知部１４１、表示信号通知部１４２、接続先選択部１４３を有する。
【００４０】
ケーブル選択接続部１０１は、接続先選択部１４３から出力された経路設定信号に従って、通信相手の室内モニタ親機２００に接続する端子Ｔ１２−ｉ（ｉは１からＮのいずれか）と、受信ドライバ１１１および送信ドライバ１１０とを接続する。なお、ケーブル選択接続部１０１の内部構成の詳細については、後述する。
【００４１】
キー入力部１０２は、数字ボタン（「０」〜「９」）および呼出ボタンを含む各種ボタンを有し、ボタン操作に応じた部屋番号情報および呼出信号を第２制御部１１６に出力する。
【００４２】
スピーカ１０３は、音声Ｉ／Ｆ部１０５から出力されたアナログ音声データあるいはアナログ呼出音データを、音声に変換して出力する。
【００４３】
マイク１０４は、周囲の音声を集音してアナログ音声データに変換し、音声Ｉ／Ｆ部１０５に出力する。
【００４４】
音声Ｉ／Ｆ部１０５は、第１制御部１０７から出力されたデジタル音声データを、アナログ音声データに変換し、信号レベルを調整して、スピーカ１０３に出力する。また、音声Ｉ／Ｆ部１０５は、第１制御部１０７から出力されたデジタル呼出音データを、アナログ呼出音データに変換し、スピーカ１０３に出力する。また、音声Ｉ／Ｆ部１０５は、マイク１０４から出力されたアナログ音声データを、信号レベルを調整し、デジタル音声データに変換して、第１制御部１０７に出力する。係るアナログ／デジタル変換は、Ａ／Ｄ，Ｄ／Ａ変換器（図示せず）により行われる。
【００４５】
なお、音声Ｉ／Ｆ部１０５は、マイク１０４から出力されたアナログ音声データをデジタル変換したデータに対して、所定の音声圧縮処理を行って得られるデータを、デジタル音声データとして第１制御部１０７に出力してもよい。また、音声Ｉ／Ｆ部１０５は、第１制御部１０７から出力されたデジタル音声データが所定の音声圧縮処理を行って得られたデータである場合、当該データに対して所定の音声伸張処理を行ってから、デジタル／アナログ変換を行う。
【００４６】
カメラ部１０６は、デジタルカメラを含み、第１制御部１０７の指示により玄関の映像を撮影し、デジタル映像データを生成して、第１制御部１０７に出力する。なお、カメラ部１０６は、エンコーダモジュールを搭載していてもよい。すなわち、カメラ部１０６は、デジタルカメラから出力された映像データに対してＨ.２６４等の所定の動画圧縮処理を行って得られるデータを、デジタル映像データとして第１制御部１０７に出力してもよい。
【００４７】
第１制御部１０７は、ロビー玄関子機１００の各部の制御を行う。また、第１制御部１０７は、第２制御部１１６との間で各種の制御信号のやりとりを行う。また、第１制御部１０７は、送信を許可する送信区間、および、受信を許可する受信区間を指示する切り替え制御信号（SW CON）を送信ドライバ１１０および受信ドライバ１１１に出力する。また、第１制御部１０７は、第２制御部１１６の呼出信号通知部１４１からの部屋番号情報および呼出信号の入力をトリガとして、デジタル呼出音データを生成して音声Ｉ／Ｆ部１０５に出力する。
【００４８】
また、第１制御部１０７は、第２制御部１１６の表示信号通知部１４２に、各種のメッセージ情報に対応する、室内モニタ親機２００との通信状態を示す通信状態情報を出力する。通信状態には、部屋番号情報に対応する室内モニタ親機２００に呼び出しを行っている状態、部屋番号情報に対応する室内モニタ親機２００から応答を受信している状態、室内モニタ親機２００との通信時にエラーが発生した状態、等がある。
【００４９】
第１制御部１０７の第１クロック生成部１３１は、受信データをサンプリングするためのクロックであって、水晶発振部１３６の発振周波数を基準に、受信データのビットレートのｎ倍（ｎは１以上）に対応する第１周波数（例えば、48MHz（ｎ＝１０））のクロック（CLK）を生成し、受信データ処理部１１３に出力する。
【００５０】
第１制御部１０７のパケット生成部１３２は、映像付き通話を実現するための上りパケットを生成する。具体的には、パケット生成部１３２は、音声Ｉ／Ｆ部１０５から出力されたデジタル音声データおよびカメラ部１０６から出力されたデジタル映像データを適宜分割して各タイムスロットのユーザデータフィールドに書き込み、自機（ロビー玄関子機１００）に固有の識別子の送信元ＩＤおよび通信相手の室内モニタ親機２００の識別子の送信先ＩＤを含む制御データを各タイムスロットの制御データフィールドに書き込む。さらに、パケット生成部１３２は、各タイムスロットに、プリアンブルデータ、シンクパターンを書き込み、上りパケット（送信データ）を生成する。さらに、パケット生成部１３２は、送信用のイネーブル信号（SSCS）および送信用の第２周波数（例えば、4.8MHz）のクロック（SSCK）を生成する。そして、パケット生成部１３２は、上りパケットを、送信用のイネーブル信号（SSCS）およびクロック（SSCK）と同期させて、送信データ処理部１０８に出力する。なお、クロック（SSCK）は、水晶発振部１３６の発振周波数を基準にして生成される。
【００５１】
なお、ロビー玄関子機１００と室内モニタ親機２００との間でデータが送受されない待機状態では、パケット生成部１３２は、部屋番号情報および呼出信号を入力するまで上りパケットを生成しない。パケット生成部１３２は、待機状態において、呼出信号通知部１４１から部屋番号情報および呼出信号を入力すると、下り制御スロットを基準に室内モニタ親機２００とフレーム同期をとった後、接続要求を生成する。フレーム同期とは、ロビー玄関子機１００がビーコンである制御スロットを判別することで、室内モニタ親機２００とフレーム単位で同期することである。具体的には、図２Ｆに示した制御スロットにおいて、ロビー玄関子機１００は、まず、4byteのプリアンブルデータおよび2byteのシンクパターンを受信し、bit単位での同期を完了させる。次に、制御スロット判別用データを用いてビーコンか否かの判別を行い、フレーム同期を完了させる。また、接続要求は、選択された室内モニタ親機２００とロビー玄関子機１００とが、室内モニタ親機２００が送信するビーコンである制御スロット（ＳＬ０（図２８参照））を基準に、フレーム同期をとった後に、例えば、ロビー玄関子機１００が、通信フレームの最後尾のタイムスロット（ＳＬ２３）の制御データ領域に「接続要求」を表すコマンドを設定する。そして、ロビー玄関子機１００が設定した「接続要求」を室内モニタ親機２００が受信すると、室内モニタ親機２００は、例えば、次の通信フレームの制御スロット（ＳＬ０）で「接続要求」に対する確認である「接続要求確認」をロビー玄関子機１００に送信し、ロビー玄関子機１００が「接続要求確認」を受信した後に、フレーム同期通信を開始する。また、パケット生成部１３２は、待機状態において、呼出信号通知部１４１から部屋番号情報および呼出信号をトリガとして、割り込み信号を生成しても良い。
【００５２】
第１制御部１０７のデータ再生部１３３は、受信データ処理部１１３からイネーブル信号（SSCS）を入力すると、受信データ処理部１１３から出力された第２周波数のクロック（SSCK）を使用し、受信データ処理部１１３から出力された下りパケットを再生し、再生した下りパケット（復号データ）に含まれるデジタル音声データを音声Ｉ／Ｆ部１０５に出力し、シンクパターンを接続状態検出部１３４に出力する。また、データ再生部１３３は、再生した下りパケット（デジタル通信フレーム）を水晶発振周波数制御部１３５に出力する。
【００５３】
第１制御部１０７の接続状態検出部１３４は、２線ケーブルが正接続である場合のチェック用シンクパターン（以下、「正接続チェック用シンクパターン」という（例えば、16bit全てが「０」））、および、正接続チェック用シンクパターンの逆のパターンであって、２線ケーブルが逆接続である場合のチェック用シンクパターン（以下、「逆接続チェック用シンクパターン」という（例えば、16bit全てが「１」））を記憶している。そして、接続状態検出部１３４は、室内モニタ親機２００と同期をとったタイミングで、データ再生部１３３から出力された受信データのシンクパターンを、正接続チェック用シンクパターンおよび逆接続チェック用シンクパターンと照合する（２線ケーブル反転検出）。接続状態検出部１３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、接続状態検出部１３４は、判定結果を示す反転制御信号（INV CON）を、送信データ反転部１０９および受信データ反転部１１２に出力する。
【００５４】
第１制御部１０７の水晶発振周波数制御部１３５は、データ再生部１３３から出力された再生データの規定のデータ数が占める第１時間と、この規定のデータ数に対応する内部の計測用クロックのカウントによる第２時間との時間差を減らすように、水晶発振部１３６の発振周波数を制御する。なお、水晶発振周波数制御部１３５の構成の詳細については後述する。
【００５５】
第１制御部１０７の水晶発振部１３６は、水晶発振子を有し、発振周波数の電圧振幅信号（周波数信号）を第１クロック生成部１３１、パケット生成部１３２および水晶発振周波数制御部１３５に出力する。また、水晶発振部１３６は、水晶発振周波数制御部１３５の制御に基づき、発振周波数を微調整する。なお、水晶発振部１３６の構成の詳細については後述する。
【００５６】
送信データ処理部１０８は、パケット生成部１３２からイネーブル信号（SSCS）を入力すると、パケット生成部１３２から出力された第２周波数のクロック（SSCK）を使用し、パケット生成部１３２から出力された上りパケットのデータに対して変調処理を行って上り信号を生成し、送信データ反転部１０９に出力する。
【００５７】
送信データ反転部１０９は、接続状態検出部１３４において２線ケーブルが逆接続であると判定された場合、送信データ処理部１０８から出力された上り信号を反転させて送信ドライバ１１０に出力する。一方、送信データ反転部１０９は、接続状態検出部１３４において２線ケーブルが正接続であると判定された場合、送信データ処理部１０８から出力された上り信号をそのまま送信ドライバ１１０に出力する。
【００５８】
送信ドライバ１１０は、第１制御部１０７からの切り替え制御信号（SW CON）によって指示された送信区間において、上り信号を、ケーブル選択接続部１０１を介して室内モニタ親機２００に送信する。
【００５９】
受信ドライバ１１１は、室内モニタ親機２００から送信された下り信号を、ケーブル選択接続部１０１を介して受信する。そして、受信ドライバ１１１は、第１制御部１０７からの切り替え制御信号（SW CON）によって指示された受信区間において、下り信号を、受信データ反転部１１２に出力する。
【００６０】
受信データ反転部１１２は、接続状態検出部１３４において２線ケーブルが逆接続であると判定された場合、受信ドライバ１１１から出力された下り信号を反転させて受信データ処理部１１３に出力する。一方、受信データ反転部１１２は、接続状態検出部１３４において２線ケーブルが正接続であると判定された場合、受信ドライバ１１１から出力された下り信号をそのまま受信データ処理部１１３に出力する。
【００６１】
受信データ処理部１１３は、第１クロック生成部１３１から出力された第１周波数のクロック（CLK）を使用し、受信ドライバ１１１から出力された下り信号に含まれるプリアンブルデータを用いて室内モニタ親機２００との同期（受信データの各ビットの先頭のタイミング）を検出する。そして、受信データ処理部１１３は、プリアンブルデータのユニークパターンを検出したタイミングで、データ再生動作を許可するイネーブル信号（SSCS）をデータ再生部１３３に出力する。
【００６２】
また、受信データ処理部１１３は、受信データ反転部１１２から出力された下り信号（受信データ）を復号し、復号データをデータ再生部１３３に出力する。また、受信データ処理部１１３は、第１クロック生成部１３１から出力された第１周波数のクロック（CLK）を基準に、受信データのビットレートに対応する第２周波数（例えば、4.8MHz）のクロック（SSCK）を生成し、データ再生部１３３に出力する。
【００６３】
メモリ部１１４は、自機（ロビー玄関子機１００）の識別子を記憶する。また、メモリ部１１４は、部屋番号、端子Ｔ１２−１〜Ｎおよび各室内モニタ親機２００の識別子を対応付けて記憶する。また、メモリ部１１４は、室内モニタ親機２００毎に、水晶発振部１３６のレジスタ１９９（図２０参照）に設定される設定値を記憶する。
【００６４】
表示部１１５は、液晶ディスプレイを含み、第２制御部１１６の表示信号通知部１４２から出力された各種のメッセージ情報を表示する。
【００６５】
第２制御部１１６は、室内モニタ親機２００との通信の開始時において、ロビー玄関子機１００の各部の制御を行う。
【００６６】
第２制御部１１６の呼出信号通知部１４１は、キー入力部１０２から部屋番号情報および呼出信号を入力した場合、その旨を示す信号を第１制御部１０７に出力する。
【００６７】
第２制御部１１６の表示信号通知部１４２は、各種のメッセージ情報を表示部１１５に出力する。具体的には、表示信号通知部１４２は、キー入力部１０２から部屋番号情報および呼出信号を入力した場合に、部屋番号を示すメッセージ情報を表示部１１５に出力する。また、表示信号通知部１４２は、接続要求を送信してから一定時間経過しても接続要求確認を受信できない場合に、部屋番号入力および呼出ボタンの押し下げのリトライを促すメッセージ（再呼出通知）を表示部１１５に出力する。また、表示信号通知部１４２は、第１制御部１０７から、部屋番号情報に対応する室内モニタ親機２００に呼び出しを行っている状態を示す通信状態情報を入力した場合に、部屋番号および呼出中を示すメッセージ情報を表示部１１５に出力する。また、表示信号通知部１４２は、第１制御部１０７から、部屋番号情報に対応する室内モニタ親機２００から応答を受信している状態を示す通信状態情報を入力した場合に、部屋番号および応答中を示すメッセージ情報を表示部１１５に出力する。また、表示信号通知部１４２は、第１制御部１０７から、室内モニタ親機２００との通信時にエラーが発生した状態を示す通信状態情報を入力した場合に、通信エラー発生中を示すメッセージ情報を表示部１１５に出力する。
【００６８】
第２制御部１１６の接続先選択部１４３は、キー入力部１０２から部屋番号情報および呼出信号を入力した場合、メモリ部１１４に記憶された、当該部屋番号に対応する端子Ｔ１２−ｉ（室内モニタ親機２００）を選択し、その旨を示す経路設定信号をケーブル選択接続部１０１に出力する。
【００６９】
電源部１５０は、ロビー玄関子機１００の各部に電源を供給する。
【００７０】
＜ケーブル選択接続部の内部構成＞
次に、本実施の形態のケーブル選択接続部１０１の内部構成の詳細について、図４を用いて説明する。図４に示すように、ケーブル選択接続部１０１は、終端回路部１６１、パルストランス１６２、スイッチ回路部１６３−１〜Ｎを有する。各スイッチ回路部１６３は、第１スイッチＳＷ１、第２スイッチＳＷ２、第３スイッチＳＷ３、コンデンサＣ１、Ｃ２、終端抵抗ＲＴ１を有している。
【００７１】
待機状態では、第１スイッチＳＷ１および第２スイッチＳＷ２が開放され（Open）、第３スイッチＳＷ３が閉鎖されている（Closing）。これにより、室内モニタ親機２００と、受信ドライバ１１１および送信ドライバ１１０との間が切断された状態となる。なお、ＳＷ３が閉鎖されている状態では、終端抵抗ＲＴ１によって、２線ケーブルの延長である２本のラインがロビー玄関子機内で終端される。ここで、終端抵抗ＲＴ１は、該終端抵抗ＲＴ１の中点をロビー玄関子機のＧＮＤや安定化電源等に接続しないで、該２本のライン間を終端する。終端抵抗ＲＴ１が固定された電位に接続されていないため、これを「フローティング」で終端した状態とする。これにより、終端抵抗ＲＴ１の接続箇所からロビー玄関子機１００に流入するノイズ等の影響を小さくできる。
【００７２】
ケーブル選択接続部１０１は、接続先選択部１４３から入力した経路設定信号に従って、通信相手の室内モニタ親機２００に対応するスイッチ回路部１６３の第１スイッチＳＷ１および第２スイッチＳＷ２を閉鎖し（Closing）、第３スイッチＳＷ３を開放する（Open）。これにより、通信相手の室内モニタ親機２００に接続する２線ケーブルと、受信ドライバ１１１および送信ドライバ１１０とが、終端回路部１６１およびパルストランス１６２を介して接続され、ロビー玄関子機１００と通信相手の室内モニタ親機２００との通信経路が設定される。
【００７３】
なお、同期方式の場合、各室内モニタ親機２００は、常に、周期的に下り制御スロットをビーコンとして送信する。また、非同期方式の場合、各室内モニタ親機２００は、ロビー玄関子機１００からの割り込み信号を受信すると、下り制御スロットを送信する。ロビー玄関子機１００は、室内モニタ親機との接続時に、受信した下り制御スロットを基準に室内モニタ親機２００とフレーム同期をとる。例えば、ロビー玄関子機１００は、第１スイッチＳＷ１、第２スイッチＳＷ２を閉鎖し、第３スイッチＳＷ３を解放した後、室内モニタ親機２００より周期的に送信されている下りスロット「ＳＬ０」（図２８参照）の制御スロットを受信し、室内モニタ親機２００との同期を捕捉する。その後、ロビー玄関子機１００は、リザーブ領域であるスロット「ＳＬ２３」で上りパケットの接続要求を送信し、室内モニタ親機２００から下りパケットの接続要求確認を受信し、室内モニタ親機２００と接続する。
【００７４】
＜室内モニタ親機の構成＞
次に、本実施の形態の室内モニタ親機２００の構成について、図５のブロック図を用いて説明する。図５に示すように、室内モニタ親機２００は、ケーブル接続部２０１、キー入力部２０２、スピーカ２０３、マイク２０４、音声Ｉ／Ｆ（インターフェイス）部２０５、ディスプレイ部２０６および制御部２０７を有する。制御部２０７は、内部に、第１クロック生成部２３１、パケット生成部２３２、データ再生部２３３、識別子設定部２３４を有する。また、室内モニタ親機２００は、送信データ処理部２０８、送信ドライバ２１０、受信ドライバ２１１、ルーティング制御部２１２、受信データ処理部２１３、メモリ部２１４、電源部２５０を有する。なお、室内モニタ親機２００は、ケーブル接続部２０１、送信ドライバ２１０および受信ドライバ２１１を、複数個（図５では２個）有する。
【００７５】
ケーブル接続部２０１−ｊ（ｊは１以上の整数）は、２線ケーブル用の接続端子を含み、２線ケーブルの室内側の一端と、送信ドライバ２１０−ｊおよび受信ドライバ２１１−ｊとの間を、信号を伝送可能な状態で接続する。ケーブル接続部２０１−１に接続する２線ケーブルの他端は、ロビー玄関子機１００に接続される。ケーブル接続部２０１−２に接続する２線ケーブルの他端は、戸前玄関子機３００に接続される。また、ケーブル接続部２０１−２は、電源部２５０から供給された戸前玄関子機３００用のＤＣ電源を、２線ケーブルから戸前玄関子機３００に供給する。なお、室内モニタ親機２００が、ケーブル接続部２０１を３個以上有する場合、ケーブル接続部２０１−ｊ（この場合のｊは３以上の整数）に接続する２線ケーブルの他端を、増設モニタ等、他の装置に接続することができる。
【００７６】
キー入力部２０２は、応答ボタンを含み、応答ボタンが操作されたとき、その旨を示す応答信号を制御部２０７に出力する。
【００７７】
スピーカ２０３は、音声Ｉ／Ｆ部２０５から出力されたアナログ音声データを、音声に変換して出力する。
【００７８】
マイク２０４は、周囲の音声を集音してアナログ音声データに変換し、音声Ｉ／Ｆ部２０５に出力する。
【００７９】
音声Ｉ／Ｆ部２０５は、制御部２０７から出力された呼出音データおよびデジタル音声データを、アナログ音声データに変換し、信号レベルを調整して、スピーカ２０３に出力する。また、音声Ｉ／Ｆ部２０５は、マイク２０４から出力されたアナログ音声データを、信号レベルを調整し、デジタル音声データに変換して、制御部２０７に出力する。かかるアナログ／デジタル変換は、Ａ／Ｄ，Ｄ／Ａ変換器（図示せず）により行われる。
【００８０】
なお、音声Ｉ／Ｆ部２０５は、マイク２０４から出力されたアナログ音声データをデジタル変換したデータに対して、所定の音声圧縮処理を行って得られるデータを、デジタル音声データとして制御部２０７に出力してもよい。また、音声Ｉ／Ｆ部２０５は、制御部２０７から出力されたデジタル音声データが所定の音声圧縮処理を行って得られたデータである場合、当該データに対して所定の音声伸張処理を行ってから、デジタル／アナログ変換を行う。
【００８１】
ディスプレイ部２０６は、液晶ディスプレイを含み、制御部２０７から出力されたデジタル映像データを再生し、玄関の映像を表示する。なお、制御部２０７から出力されたデジタル映像データが所定の動画圧縮処理を行って得られたデータである場合、当該データに対して所定の動画伸張処理を行って、映像表示を行う。
【００８２】
制御部２０７は、室内モニタ親機２００の各部の制御を行う。また、制御部２０７は、送信を許可する送信区間、および、受信を許可する受信区間を指示する切り替え制御信号（SW CON）を送信ドライバ２１０−ｊ、受信ドライバ２１１−ｊおよびルーティング制御部２１２に出力する。また、制御部２０７は、キー入力部２０２から応答信号を入力すると、音声Ｉ／Ｆ部２０５に呼出音データの出力を停止させる。
【００８３】
制御部２０７の第１クロック生成部２３１は、受信データをサンプリングするためのクロックであって、受信データのビットレートのｎ倍に対応する第１周波数（例えば、48MHz（ｎ＝１０））のクロック（CLK）を生成し、受信データ処理部２１３に出力する。
【００８４】
制御部２０７のパケット生成部２３２は、映像付き通話を実現するための下りパケットを生成する。具体的には、パケット生成部２３２は、音声Ｉ／Ｆ部２０５から出力されたデジタル音声データを適宜分割して各タイムスロットのユーザデータフィールドに書き込み、識別子設定部２３４から出力された自機（室内モニタ親機２００）に固有の識別子の送信元ＩＤおよび通信相手（ロビー玄関子機１００または戸前玄関子機３００）の識別子の送信先ＩＤを含む制御データを各タイムスロットの制御データフィールドに書き込む。さらに、パケット生成部２３２は、各タイムスロットに、プリアンブルデータ、シンクパターンを書き込み、上りパケット（送信データ）を生成する。さらに、パケット生成部２３２は、送信用のイネーブル信号（SSCS）および送信用の第２周波数（例えば、4.8MHz）のクロック（SSCK）を生成する。そして、パケット生成部２３２は、上りパケットを、送信用のイネーブル信号（SSCS）およびクロック（SSCK）と同期させて、送信データ処理部２０８に出力する。
【００８５】
なお、同期方式の場合、パケット生成部２３２は、常に、周期的に下り制御スロットを生成する。また、非同期方式の場合、パケット生成部２３２は、ロビー玄関子機１００からの割り込み信号を受信すると、下り制御スロットを生成する。
【００８６】
制御部２０７のデータ再生部２３３は、受信データ処理部２１３からイネーブル信号（SSCS）を入力すると、受信データ処理部２１３から出力された第２周波数のクロック（SSCK）を使用し、受信データ処理部２１３から出力された上りパケット（復号データ）を取得する。
【００８７】
そして、データ再生部２３３は、上りパケットに含まれるデジタル映像データをディスプレイ部２０６に出力し、上りパケットに含まれるデジタル呼出音データおよびデジタル音声データを音声Ｉ／Ｆ部２０５に出力する。また、データ再生部２３３は、上りパケットに含まれる送信元ＩＤを識別子設定部２３４に出力する。
【００８８】
制御部２０７の識別子設定部２３４は、データ再生部２３３から出力された送信元ＩＤ（ロビー玄関子機１００のあるいは戸前玄関子機３００の識別子）をメモリ部２１４に記憶させる。また、識別子設定部２３４は、自機（室内モニタ親機２００）に固有の識別子および通信相手（ロビー玄関子機１００または戸前玄関子機３００）の識別子をメモリ部２１４から読み出してパケット生成部２３２に出力する。
【００８９】
送信データ処理部２０８は、パケット生成部２３２からイネーブル信号（SSCS）を入力すると、パケット生成部２３２から出力された第２周波数のクロック（SSCK）を使用し、パケット生成部２３２から出力された下りパケットのデータに対して変調処理を行って下り信号を生成し、ルーティング制御部２１２に出力する。
【００９０】
送信ドライバ２１０−１は、制御部２０７からの切り替え制御信号（SW CON）によって指示された送信区間において、ルーティング制御部２１２から出力された下り信号を、ケーブル接続部２０１−１を介してロビー玄関子機１００に送信する。送信ドライバ２１０−２は、制御部２０７からの切り替え制御信号（SW CON）によって指示された送信区間において、ルーティング制御部２１２から出力された下り信号を、ケーブル接続部２０１−２を介して戸前玄関子機３００に送信する。なお、室内モニタ親機２００が送信ドライバ２１０を３個以上有する場合、送信ドライバ２１０−ｊ（この場合のｊは３以上の整数）は、ルーティング制御部２１２から出力された下り信号を、ケーブル接続部２０１−ｊを介して、増設モニタ等、他の装置に送信する。
【００９１】
受信ドライバ２１１−１は、ロビー玄関子機１００から送信された上り信号を、ケーブル接続部２０１−１を介して受信する。受信ドライバ２１１−２は、戸前玄関子機３００から送信された上り信号を、ケーブル接続部２０１−２を介して受信する。そして、受信ドライバ２１１−１、２１１−２は、制御部２０７からの切り替え制御信号（SW CON）によって指示された受信区間において、上り信号を、ルーティング制御部２１２に出力する。なお、室内モニタ親機２００が受信ドライバ２１１を３個以上有する場合、受信ドライバ２１１−ｊ（この場合のｊは３以上の整数）は、増設モニタ等、他の装置から送信された上り信号を、ケーブル接続部２０１−ｊを介して受信する。
【００９２】
ルーティング制御部２１２は、受信ドライバ２１１−ｊから出力された上り信号を受信データ処理部２１３に出力する。また、ルーティング制御部２１２は、送信データ処理部２０８から出力された、ロビー玄関子機１００宛の下り信号を送信ドライバ２１０−１に出力し、戸前玄関子機３００宛の下り信号を送信ドライバ２１０−２に出力する。なお、室内モニタ親機２００が送信ドライバ２１０を３個以上有する場合、増設モニタ等、他の装置宛の下り信号を送信ドライバ２１０−ｊ（この場合のｊは３以上の整数）に出力する。
【００９３】
受信データ処理部２１３は、第１クロック生成部２３１から出力された第１周波数のクロック（CLK）を使用し、ルーティング制御部２１２から出力された上り信号に含まれるプリアンブルデータを用いて、受信データのタイムスロット上のシンクパターンの先頭ビットのタイミングを検出する。そして、受信データ処理部２１３は、プリアンブルデータのユニークパターンを検出したタイミングで、データ再生動作を許可するイネーブル信号（SSCS）をデータ再生部２３３に出力する。
【００９４】
また、受信データ処理部２１３は、ルーティング制御部２１２から出力された上り信号（受信データ）を復号し、復号データをデータ再生部２３３に出力する。また、受信データ処理部２１３は、第１クロック生成部２３１から出力された第１周波数のクロック（CLK）を基準に、受信データのビットレートに対応する第２周波数（例えば、4.8MHz）のクロック（SSCK）を生成し、データ再生部２３３に出力する。
【００９５】
メモリ部２１４は、ロビー玄関子機１００の識別子、自機（室内モニタ親機２００）の識別子、および、接続する戸前玄関子機３００の識別子を記憶する。なお、室内モニタ親機２００が、増設モニタ等、他の装置とも接続する場合、当該他の装置の識別子を記憶する。
【００９６】
電源部２５０は、室内モニタ親機２００の各部に電源を供給する。また、電源部２５０は、戸前玄関子機３００用のＤＣ電源を、ケーブル接続部２０１−２を介して、２線ケーブルから戸前玄関子機３００に供給する。
【００９７】
＜戸前玄関子機の構成＞
次に、本実施の形態の戸前玄関子機３００の構成について、図６のブロック図を用いて説明する。図６に示すように、戸前玄関子機３００は、ケーブル接続部３０１、キー入力部３０２、スピーカ３０３、マイク３０４、音声Ｉ／Ｆ（インターフェイス）部３０５、カメラ部３０６および制御部３０７を有する。制御部３０７は、内部に、第１クロック生成部３３１、パケット生成部３３２、データ再生部３３３、接続状態検出部３３４、水晶発振周波数制御部３３５、水晶発振部３３６を有する。また、戸前玄関子機３００は、送信データ処理部３０８、送信データ反転部３０９、送信ドライバ３１０、受信ドライバ３１１、受信データ反転部３１２、受信データ処理部３１３、メモリ部３１４、電源部３５０を有する。
【００９８】
ケーブル接続部３０１は、２線ケーブル用の接続端子を含み、２線ケーブルの玄関側の一端と、受信ドライバ３１１および送信ドライバ３１０との間を、信号を伝送可能な状態で接続する。なお、２線ケーブルの他端は、室内モニタ親機２００に接続される。また、ケーブル接続部３０１は、２線ケーブルから供給されたＤＣ電源を電源部３５０に供給する。
【００９９】
キー入力部３０２は、呼出ボタンを含み、呼出ボタンが操作されたとき、その旨を示す信号を制御部３０７に出力する。
【０１００】
スピーカ３０３は、音声Ｉ／Ｆ部３０５から出力されたアナログ音声データを、音声に変換して出力する。
【０１０１】
マイク３０４は、周囲の音声を集音してアナログ音声データに変換し、音声Ｉ／Ｆ部３０５に出力する。
【０１０２】
音声Ｉ／Ｆ部３０５は、制御部３０７から出力されたデジタル音声データを、アナログ音声データに変換し、信号レベルを調整して、スピーカ３０３に出力する。また、音声Ｉ／Ｆ部３０５は、マイク３０４から出力されたアナログ音声データを、信号レベルを調整し、デジタル音声データに変換して、制御部３０７に出力する。かかるアナログ／デジタル変換は、Ａ／Ｄ，Ｄ／Ａ変換器（図示せず）により行われる。
【０１０３】
なお、音声Ｉ／Ｆ部３０５は、マイク３０４から出力されたアナログ音声データをデジタル変換したデータに対して、所定の音声圧縮処理を行って得られるデータを、デジタル音声データとして制御部３０７に出力してもよい。また、音声Ｉ／Ｆ部３０５は、制御部３０７から出力されたデジタル音声データが所定の音声圧縮処理を行って得られたデータである場合、当該データに対して所定の音声伸張処理を行ってから、デジタル／アナログ変換を行う。
【０１０４】
カメラ部３０６は、デジタルカメラを含み、玄関の映像を撮影し、デジタル映像データを生成して、制御部３０７に出力する。なお、カメラ部３０６は、エンコーダモジュールを搭載していてもよい。すなわち、カメラ部３０６は、デジタルカメラから出力された映像データに対してＨ.２６４等の所定の動画圧縮処理を行って得られるデータを、デジタル映像データとして制御部３０７に出力してもよい。
【０１０５】
制御部３０７は、戸前玄関子機３００の各部の制御を行う。また、制御部３０７は、送信を許可する送信区間、および、受信を許可する受信区間を指示する切り替え制御信号（SW CON）を送信ドライバ３１０および受信ドライバ３１１に出力する。
【０１０６】
制御部３０７の第１クロック生成部３３１は、受信データをサンプリングするためのクロックであって、水晶発振部３３６の発振周波数を基準に、受信データのビットレートのｎ倍（ｎは１以上）に対応する第１周波数（例えば、48MHz（ｎ＝１０））のクロック（CLK）を生成し、受信データ処理部３１３に出力する。
【０１０７】
制御部３０７のパケット生成部３３２は、映像付き通話を実現するための上りパケットを生成する。具体的には、パケット生成部３３２は、音声Ｉ／Ｆ部３０５から出力されたデジタル音声データおよびカメラ部３０６から出力されたデジタル映像データを適宜分割して各タイムスロットのユーザデータフィールドに書き込み、自機（戸前玄関子機３００）に固有の識別子の送信元ＩＤおよび室内モニタ親機２００に固有の識別子の送信先ＩＤを含む制御データを各タイムスロットの制御データフィールドに書き込む。さらに、パケット生成部３３２は、各タイムスロットに、プリアンブルデータ、シンクパターンを書き込み、上りパケット（送信データ）を生成する。さらに、パケット生成部３３２は、送信用のイネーブル信号（SSCS）および送信用の第２周波数（例えば、4.8MHz）のクロック（SSCK）を生成する。そして、パケット生成部３３２は、上りパケットを、送信用のイネーブル信号（SSCS）およびクロック（SSCK）と同期させて、送信データ処理部３０８に出力する。なお、クロック（SSCK）は、水晶発振部３３６の発振周波数を基準にして生成される。
【０１０８】
なお、戸前玄関子機３００と室内モニタ親機２００との間が待機状態であっても、室内モニタ親機２００は、周期的に下り制御スロットを送信する。これにより、戸前玄関子機３００は、室内モニタ親機２００と通信路が接続された場合、常時、下り制御スロットを基準に室内モニタ親機２００とフレーム同期をとることができる。
【０１０９】
制御部３０７のデータ再生部３３３は、受信データ処理部３１３からイネーブル信号（SSCS）を入力すると、受信データ処理部３１３から出力された第２周波数のクロック（SSCK）を使用し、受信データ処理部３１３から出力された下りパケットを再生し、再生した下りパケット（復号データ）に含まれるデジタル音声データを音声Ｉ／Ｆ部３０５に出力し、シンクパターンを接続状態検出部３３４に出力する。
【０１１０】
制御部３０７の接続状態検出部３３４は、正接続チェック用シンクパターンおよび逆接続チェック用シンクパターンを記憶している。そして、接続状態検出部３３４は、データ再生部３３３から出力された受信データのシンクパターンを、正接続チェック用シンクパターンおよび逆接続チェック用シンクパターンと照合する。接続状態検出部３３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、接続状態検出部３３４は、判定結果を示す反転制御信号（INV CON）を、送信データ反転部３０９および受信データ反転部３１２に出力する。
【０１１１】
制御部３０７の水晶発振周波数制御部３３５は、データ再生部３３３から出力された再生データの規定のデータ数が占める第１時間と、この規定のデータ数に対応する内部の計測用クロックのカウントによる第２時間との時間差を減らすように、水晶発振部３３６の発振周波数を制御する。
【０１１２】
制御部３０７の水晶発振部３３６は、水晶発振子を有し、発振周波数の電圧振幅信号（周波数信号）を第１クロック生成部３３１、パケット生成部３３２および水晶発振周波数制御部３３５に出力する。また、水晶発振部３３６は、水晶発振周波数制御部３３５の制御に基づき、発振周波数を微調整する。
【０１１３】
送信データ処理部３０８は、パケット生成部３３２からイネーブル信号（SSCS）を入力すると、パケット生成部３３２から出力された第２周波数のクロック（SSCK）を使用し、パケット生成部３３２から出力された上りパケットのデータに対して変調処理を行って上り信号を生成し、送信データ反転部３０９に出力する。
【０１１４】
送信データ反転部３０９は、接続状態検出部３３４において２線ケーブルが逆接続であると判定された場合、送信データ処理部３０８から出力された上り信号を反転させて送信ドライバ３１０に出力する。一方、送信データ反転部３０９は、接続状態検出部３３４において２線ケーブルが正接続であると判定された場合、送信データ処理部３０８から出力された上り信号をそのまま送信ドライバ３１０に出力する。
【０１１５】
送信ドライバ３１０は、制御部３０７からの切り替え制御信号（SW CON）によって指示された送信区間において、上り信号を、ケーブル接続部３０１を介して室内モニタ親機２００に送信する。
【０１１６】
受信ドライバ３１１は、室内モニタ親機２００から送信された下り信号を、ケーブル接続部３０１を介して受信する。そして、受信ドライバ３１１は、制御部３０７からの切り替え制御信号（SW CON）によって指示された受信区間において、下り信号を、受信データ反転部３１２に出力する。
【０１１７】
受信データ反転部３１２は、接続状態検出部３３４において２線ケーブルが逆接続であると判定された場合、受信ドライバ３１１から出力された下り信号を反転させて受信データ処理部３１３に出力する。一方、受信データ反転部３１２は、接続状態検出部３３４において２線ケーブルが正接続であると判定された場合、受信ドライバ３１１から出力された下り信号をそのまま受信データ処理部３１３に出力する。
【０１１８】
受信データ処理部３１３は、第１クロック生成部３３１から出力された第１周波数のクロック（CLK）を使用し、受信ドライバ３１１から出力された下り信号に含まれるプリアンブルデータを用いて室内モニタ親機２００との同期（受信データの各ビットの先頭のタイミング）を検出する。そして、受信データ処理部３１３は、プリアンブルデータのユニークパターンを検出したタイミングで、データ再生動作を許可するイネーブル信号（SSCS）をデータ再生部３３３に出力する。
【０１１９】
また、受信データ処理部３１３は、受信データ反転部３１２から出力された下り信号（受信データ）を復号し、復号データをデータ再生部３３３に出力する。また、受信データ処理部３１３は、第１クロック生成部３３１から出力された第１周波数のクロック（CLK）を基準に、受信データのビットレートに対応する第２周波数（例えば、4.8MHz）のクロック（SSCK）を生成し、データ再生部３３３に出力する。
【０１２０】
メモリ部３１４は、自機（戸前玄関子機３００）の識別子、および、接続する室内モニタ親機２００の識別子を記憶する。
【０１２１】
電源部３５０は、ケーブル接続部３０１を介して入力した電源を、戸前玄関子機３００の各部に供給する。
【０１２２】
なお、ロビー玄関子機１００、室内モニタ親機２００および戸前玄関子機３００は、図示しないが、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路をそれぞれ有する。この場合、上記した各部の機能は、ＣＰＵが制御プログラムを実行することにより実現される。
【０１２３】
＜プリアンブルデータの一例＞
次に、本実施の形態において使用されるプリアンブルデータの一例について図７を用いて説明する。
【０１２４】
図７に示すように、本実施の形態において使用されるプリアンブルデータ（4byte=32bit）は、1byte目から3byte目までがすべて「１」のパターンであり、4byte目が、最初から6bitまでが「１」、7bitが「０」、8bit（最後の1bit）が「１」のパターンである。さらに、この場合、プリアンブルデータに続くシンクパターンの最初の1bitが「１」である。この結果、図７に示すプリアンブルデータは、4byte目の6bit目から8bit目にかけての隣接する立下りエッジ間５０１の期間が他よりも長いユニークパターンとなっている。また、隣接する立下りエッジ間５０１のＨ（High）の期間およびＬ（Low）の期間が他よりも長くなっている。なお、図７は、マンチェスタエンコード後のプリアンブルデータの波形を示している。
【０１２５】
なお、本実施の形態では、プリアンブルデータが、図７に示すものが反転されたものであっても良い。すなわち、本実施の形態において使用されるプリアンブルデータ（4byte=32bit）は、1byte目から3byte目までがすべて「０」のパターンであり、4byte目が、最初から6bitまでが「０」、7bitが「１」、8bit（最後の1bit）が「０」のパターンであってもよい。この場合、プリアンブルデータに続くシンクパターンの最初の1bitが「０」である。
【０１２６】
＜受信データ処理部の内部構成＞
次に、ロビー玄関子機１００の受信データ処理部１１３の内部構成の詳細について、図８を用いて説明する。なお、その説明の際、本実施の形態の同期検出処理について理解を容易にするため、図８と併せて図９を用いる。図９の例において、プリアンブルデータおよびそのユニークパターンは、図７に示したものを用いる。なお、図９では、第１クロック生成部１３１が48MHzのクロック（CLK）を生成し、第２クロック生成部１５６が4.8MHzのクロック（SSCK）を生成している場合を示している。
【０１２７】
図８に示すように、受信データ処理部１１３は、第１のユニークパターン検出部１５１、第２のユニークパターン検出部１５２、イネーブル信号生成部１５３、タイミング調整部１５４、受信データ復号部１５５および第２クロック生成部１５６を有する。
【０１２８】
受信データ反転部１１２から出力された受信データは、第１のユニークパターン検出部１５１、第２のユニークパターン検出部１５２、タイミング調整部１５４および受信データ復号部１５５に入力される。第１クロック生成部１３１のクロック（CLK）は、第１のユニークパターン検出部１５１、第２のユニークパターン検出部１５２、タイミング調整部１５４、受信データ復号部１５５および第２クロック生成部１５６に入力される。
【０１２９】
第１のユニークパターン検出部１５１および第２のユニークパターン検出部１５２は、ユニークパターン検出用のクロックの第１規定数（例えば、「１８」から「２２」）を記憶している。
【０１３０】
第１のユニークパターン検出部１５１は、第１クロック生成部１３１のクロックで、受信データ反転部１１２から出力された受信データに含まれるプリアンブルデータをサンプリングし、隣接する立下りエッジ間のクロックを計数する。第１のユニークパターン検出部１５１は、隣接する立下りエッジ間のクロック数が第１規定数のいずれかに一致した場合にユニークパターンを検出したと判定する。図９の例では、隣接する立下りエッジ間５０１のクロック数「２０」が、第１規定数の中の１つと一致する。そして、第１のユニークパターン検出部１５１は、所定のタイミングで、その旨を示す信号を、イネーブル信号生成部１５３に出力する。
【０１３１】
第２のユニークパターン検出部１５２は、第１のユニークパターン検出部１５１と同一タイミングで、受信データ反転部１１２から出力された受信データに含まれるプリアンブルデータをサンプリングし、隣接する立上りエッジ間のクロックを計数する。第２のユニークパターン検出部１５２は、隣接する立上りエッジ間のクロック数が第１規定数のいずれかに一致した場合にユニークパターンを検出したと判定し、その旨を示す信号をイネーブル信号生成部１５３に出力する。
【０１３２】
イネーブル信号生成部１５３は、第１のユニークパターン検出部１５１あるいは第２のユニークパターン検出部１５２のいずれかから、ユニークパターンを検出した旨を示す信号を入力すると（図９のタイミング５１０）、データ再生動作を許可するイネーブル信号をタイミング調整部１５４およびデータ再生部１３３に出力する（図９の例では、イネーブル信号SSCSを立下げ、Ｌ（Low）信号とする（アクティブにする））。
【０１３３】
タイミング調整部１５４は、内部にタイミング生成用カウンタを有し、イネーブル信号生成部１５３からイネーブル信号を入力すると、先頭の受信データ（シンクパターン１ビット目）の波形エッジを検出する。なお、先頭の受信データは、プリアンブルデータとシンクパターンの間の波形エッジであるデータ反転のタイミング５１１から始まる。
【０１３４】
そして、タイミング調整部１５４は、該波形エッジを検出した後に、第１周波数のクロックで、タイミング生成用カウンタによる「０」から「９」までのカウントを繰り返し行い、各受信データの波形エッジのタイミングにおけるカウンタ値を観測する。そして、該カウンタ値が正常な値と異なる場合、タイミング調整部１５４は、カウンタ値を補正し、補正後のカウンタ値を受信データ復号部１５５および第２クロック生成部１５６に出力する。これにより、カウンタ値が所定の値となる範囲であるデータ再生ウィンドウの範囲（図９の範囲５０２）の開始タイミングが調整される。
【０１３５】
受信データ復号部１５５は、タイミング調整部１５４からカウンタ値を入力し、データ再生ウィンドウの範囲（図９の範囲５０２）で、受信データ１ビット分の波形の論理反転をスキャン検出し、当該受信データ１ビット分のマンチェスタエンコードされた波形の論理反転に対応したデータの復号処理を行い、復号データをデータ再生部１３３に出力する。図９の例では、受信データ復号部１５５は、範囲５０２において、波形が「Ｈ」から「Ｌ」に反転した場合には復号データ「１」を出力し、波形が「Ｌ」から「Ｈ」に反転した場合には復号データ「０」を出力する。２番目の受信データが受信データ復号部１５５に入力される時間とほぼ同じ時間に、先頭の受信データの復号データが受信データ復号部１５５から一定の時間遅延して出力される。なお、受信データ復号部１５５が行う受信データの復号処理の詳細については後述する。
【０１３６】
第２クロック生成部１５６は、タイミング調整部１５４からカウンタ値（「０」〜「９」）を入力し、２番目の受信データのカウンタ値「０」（図９のタイミング５１２）で、SSCKの出力（図９では「Ｌ」）を開始し、先頭の受信データのカウンタ値「５」で、一定の遅延後にある先頭の復号データ用のSSCKの論理を「Ｌ」から「Ｈ」に反転し、２番目の受信データのカウンタ値「０」で、先頭の復号データと２番目の復号データの境界のSSCKの論理を「Ｈ」から「Ｌ」に反転する。その後、第２クロック生成部１５６は、再生クロックSSCKについて、カウント値「０」での「Ｈ」から「Ｌ」への論理反転およびカウント値「５」での「Ｌ」から「Ｈ」への論理反転を繰返す。そして、第２クロック生成部１５６は、「Ｌ」から「Ｈ」へ論理反転したタイミングで、第２周波数（例えば、4.8MHz）のクロック（SSCK）をデータ再生部１３３に出力する。
【０１３７】
室内モニタ親機２００の受信データ処理部２１３の内部構成および戸前玄関子機３００の受信データ処理部３１３の内部構成は、ロビー玄関子機１００の受信データ処理部１１３の内部構成と同一である。
【０１３８】
＜ユニークパターンの検出の詳細説明＞
次に、ユニークパターンの検出について、図１０を用いて詳細に説明する。図１０（Ａ）は、２線ケーブルが正接続の場合の正常極性のユニークパターンおよびその近傍の受信波形を示し、図１０（Ａ）の（１）は、第１のユニークパターン検出部１５１によって計数されるクロック数を示し、図１０（Ａ）の（２）は、第２のユニークパターン検出部１５２によって計数されるクロック数を示す。図１０（Ｂ）は、２線ケーブルが逆接続の場合の反転極性のユニークパターンおよびその近傍の受信波形を示し、図１０（Ｂ）の（１）は、第１のユニークパターン検出部１５１によって計数されるクロック数を示し、図１０（Ｂ）の（２）は、第２のユニークパターン検出部１５２によって計数されるクロック数を示す。
【０１３９】
２線ケーブルが正接続の場合、図１０（Ａ）の（１）に示すように、第１のユニークパターン検出部１５１において計数されるクロック数は、ユニークパターン１の隣接する立下りエッジ間では「２０」となり、第１規定数の中の１つと一致し、他の隣接する立下りエッジ間では「１０」となり、第１規定数の中のいずれにも一致しない。第１のユニークパターン検出部１５１がユニークパターン１を検出すると、イネーブル信号生成部１５３が所定のタイミングＺでイネーブル信号（SSCS）を立下げる（アクティブにする）。一方、図１０（Ａ）の（２）に示すように、第２のユニークパターン検出部１５２において計数されるクロック数は、いずれの隣接する立上りエッジ間でも「１０」または「１５」となり、第１規定数の中のいずれにも一致しない。このため、第２のユニークパターン検出部１５２は、ユニークパターンを検出することができない。このように、２線ケーブルが正接続の場合、受信データ処理部１１３（第１のユニークパターン検出部１５１および第２のユニークパターン検出部１５２）において、サンプリングクロック数がユニークであるユニークパターン１が唯一検出される。
【０１４０】
２線ケーブルが逆接続の場合、図１０（Ｂ）の（２）に示すように、第２のユニークパターン検出部１５２において計数されるクロック数は、ユニークパターン２の隣接する立上りエッジ間では「２０」となり、第１規定数の中の１つと一致し、他の隣接する立上りエッジ間では「１０」となり、第１規定数の中のいずれにも一致しない。第２のユニークパターン検出部１５２がユニークパターン２を検出すると、イネーブル信号生成部１５３が所定のタイミングＹでイネーブル信号（SSCS）を立下げる（アクティブにする）。一方、図１０（Ｂ）の（１）に示すように、第１のユニークパターン検出部１５１において計数されるクロック数は、いずれの隣接する立下りエッジ間でも「１０」または「１５」となり、第１規定数の中の何れにも一致しない。このため、第１のユニークパターン検出部１５１は、ユニークパターンを検出することができない。このように、２線ケーブルが逆接続の場合、受信データ処理部１１３（第１のユニークパターン検出部１５１および第２のユニークパターン検出部１５２）において、サンプリングクロック数がユニークであるユニークパターン２が唯一検出される。
【０１４１】
なお、図１０（Ｂ）の受信波形は、図１０（Ａ）の受信波形が反転されたものであって、正常極性のときに立下りエッジ間のクロック数が第１規定数となるユニークパターンが存在する場合は、必然的に、反転極性のときに立上りエッジ間のクロック数が第１規定数となるユニークパターンが存在することになる。また、その場合のユニークパターン１とユニークパターン２の配置位置およびタイミングは同一となり、イネーブル信号（SSCS）を立下げる（アクティブにする）タイミングＺとＹも一致する（図９のタイミング５１０）。
【０１４２】
＜２線ケーブルの反転検出処理のフロー＞
次に、ロビー玄関子機１００（受信データ処理部１１３、接続状態検出部１３４）における２線ケーブルの反転検出処理のフローについて図１１を用いて説明する。
【０１４３】
Ｓ３０１において、受信データ処理部１１３は、第１のユニークパターン検出部１５１および第２のユニークパターン検出部１５２により、第１クロック生成部１３１のクロックで、受信ドライバ１１１から出力された復調前の下り信号に含まれるプリアンブルデータをサンプリングし、隣接する立下りエッジ間あるいは隣接する立上りエッジ間の何れか一方である測定区間のクロック数に基づいてプリアンブルデータのユニークパターンのチェックを行う。
【０１４４】
ユニークパターンを検出できた場合（Ｓ３０２：ＹＥＳ）、ビット同期を取ることができたとして、フローをＳ３０３へ進め、検出できていない場合（Ｓ３０２：ＮＯ）、フローをＳ３０１に戻し、ユニークパターンのチェックを再び行う。
【０１４５】
Ｓ３０３において、接続状態検出部１３４は、データ再生部１３３から出力された受信データのシンクパターンのチェックを行う。
【０１４６】
受信データのシンクパターンが、正接続チェック用シンクパターン（第１のシンクパターン）と一致した場合（Ｓ３０４：ＹＥＳ）、Ｓ３０５において、接続状態検出部１３４は、２線ケーブルが正接続であると判定し、検出処理を終了する。
【０１４７】
また、受信データのシンクパターンが、正接続チェック用シンクパターンを反転した逆接続チェック用シンクパターン（第２のシンクパターン）と一致した場合（Ｓ３０４：ＮＯ，Ｓ３０６：ＹＥＳ）、Ｓ３０７において、接続状態検出部１３４は、２線ケーブルが逆接続であると判定し、検出処理を終了する。
【０１４８】
また、受信データのシンクパターンが、正接続チェック用シンクパターンおよび逆接続チェック用シンクパターンのどちらにも一致しなかった場合（Ｓ３０４：ＮＯ，Ｓ３０６：ＮＯ）、Ｓ３０８において、接続状態検出部１３４は、シンクパターンの検知に失敗したと判定し、フローをＳ３０１に戻し、ユニークパターンのチェックを再び行う。
【０１４９】
＜同期方式の接続処理のシーケンス＞
次に、同期方式において、接続に成功した場合のシーケンスについて図１２を用いて説明する。なお、同期方式では、室内モニタ親機２００が、常に、周期的に下り制御スロットをビーコンとして送信している。
【０１５０】
待機状態において、来訪者により、ロビー玄関子機１００のキー入力部１０２に対して、部屋番号入力および呼出ボタン押し下げの操作が行われた場合（Ｓ４０１）、ロビー玄関子機１００は、表示部１１５の液晶ディスプレイに部屋番号を表示するとともに（Ｓ４０２）、スピーカ１０３から呼出音を出力させる（Ｓ４０３）。
【０１５１】
そして、ロビー玄関子機１００は、ケーブル選択接続部１０１を制御することにより部屋番号に対応する室内モニタ親機２００との間のケーブル経路を繋ぐ（通信路を開通させる）接続準備処理を行う（Ｓ４０４）。この状態で、ロビー玄関子機１００は、室内モニタ親機２００からの下り制御スロットを受信し（Ｓ４０５）、室内モニタ親機２００との同期を捕捉する（Ｓ４０６）。
【０１５２】
同期捕捉後、ロビー玄関子機１００は、２線ケーブル反転検出を行い、２線ケーブルが逆接続である場合には、受信データおよび送信データのそれぞれの極性を反転させるためのデータ反転設定を行う（Ｓ４０７）。そして、ロビー玄関子機１００は、同期フレーム内の指定タイムスロットで、接続要求を室内モニタ親機２００に送信する（Ｓ４０８）。
【０１５３】
室内モニタ親機２００は、接続要求を捕捉すると（Ｓ４０９）、スピーカ２０３から呼出音を出力させ（Ｓ４１０）、同期フレーム内の指定タイムスロットで、接続要求確認をロビー玄関子機１００に送信する（Ｓ４１１）。
【０１５４】
以上の処理により、ロビー玄関子機１００と室内モニタ親機２００は通信状態となる（Ｓ４１２）。
【０１５５】
以降、ロビー玄関子機１００が上りパケットにより室内モニタ親機２００に音声データおよび画像データを送信し、居住者が室内モニタ２００の応答ボタンを押し下げる操作を行った場合、室内モニタ親機２００が下りパケットによりロビー玄関子機１００に音声データを送信する。これにより、ロビー玄関子機１００からの画像データおよび音声データと、室内モニタ親機２００からの音声データによる通話が可能になる。通話終了後に、居住者が室内モニタ親機２００の終了ボタンを押し下げることで、ロビー玄関子機１００と室内モニタ親機２００の通信状態が完了し、双方共に再び待機状態となる。
【０１５６】
なお、通信状態において、居住者が室内モニタ親機２００の応答ボタンを押し下げる操作を行った場合等のタイミングで、ロビー玄関子機１００のスピーカ１０３からの呼出音および室内モニタ親機２００のスピーカ２０３から呼出音は停止され、室内モニタ親機２００とロビー玄関子機１００間での通話が可能になる。
【０１５７】
次に、同期方式において、接続に失敗した場合のシーケンスについて図１３を用いて説明する。なお、図１３において、Ｓ４０１〜Ｓ４０８までのシーケンスは図１２と共通する。
【０１５８】
図１３では、Ｓ４０８において、ロビー玄関子機１００から送信された接続要求が、室内モニタ親機２００で捕捉できなかったものとする。この場合、室内モニタ親機２００からロビー玄関子機１００に接続要求確認が送信されず、ロビー玄関子機１００は室内モニタ親機２００と接続できない。
【０１５９】
ロビー玄関子機１００は、接続要求を送信してから一定時間が経過しても接続要求確認を受信できなかった場合、表示部１１５の液晶ディスプレイに、来訪者に対して再度部屋番号入力および呼出ボタンの押し下げのリトライを促すメッセージ（再呼出通知）を表示する（Ｓ４０９Ａ）。
【０１６０】
＜非同期方式の接続処理のシーケンス＞
次に、非同期方式において、接続に成功した場合のシーケンスについて図１４を用いて説明する。なお、図１４において、図１２と共通するステップについては、図１２と同一符号を付してその説明を省略する。
【０１６１】
非同期方式の場合、図１４に示すように、ロビー玄関子機１００が、接続準備処理（Ｓ４０４）の後、割り込み信号を室内モニタ親機２００に送信する（Ｓ４０４Ａ１）。
【０１６２】
室内モニタ親機２００は、割り込み信号を捕捉した後（Ｓ４０４Ａ２）、下り制御スロットを送信する（Ｓ４０５）。非同期方式（図１４）において、Ｓ４０５以降のシーケンスは、同期方式（図１２）と共通する。
【０１６３】
なお、図１４において、割り込み信号（Ｓ４０４Ａ１）を、接続要求（Ｓ４０８）と兼ねても良い。
【０１６４】
次に、非同期方式において、接続に失敗した場合のシーケンスについて図１５を用いて説明する。なお、図１５において、Ｓ４０１〜Ｓ４０４Ａ１までのシーケンスは図１４と共通する。
【０１６５】
図１５では、Ｓ４０４Ａ１において、ロビー玄関子機１００から送信された割り込み信号が、室内モニタ親機２００で捕捉できなかったものとする。この場合、室内モニタ親機２００からロビー玄関子機１００に下り制御スロットが送信されず、ロビー玄関子機１００は室内モニタ親機２００と接続できない。
【０１６６】
ロビー玄関子機１００は、割り込み信号を送信してから一定時間が経過しても下り制御スロットを捕捉できなかった場合、表示部１１５の液晶ディスプレイに、来訪者に対して再度呼出ボタンの押し下げを促すメッセージ（再呼出通知）を表示する（Ｓ４０５Ａ）。
【０１６７】
＜接続処理のフロー＞
次に、ロビー玄関子機１００における接続処理のフローについて図１６を用いて説明する。
【０１６８】
待機状態において（Ｓ５０１)、来訪者が部屋番号入力および呼出ボタン押し下げの入力操作を行った場合（Ｓ５０２：ＹＥＳ）、ロビー玄関子機１００は、表示部１１５の液晶ディスプレイに部屋番号を表示するとともに（Ｓ５０３）、スピーカ１０３から呼出音を出力させる（Ｓ５０４）。
【０１６９】
そして、ロビー玄関子機１００は、部屋番号に対応する室内モニタ親機２００との接続処理を行い（Ｓ５０５）、室内モニタ親機２００からの下り制御スロットを受信すると（Ｓ５０６：ＹＥＳ）、接続要求を室内モニタ親機２００に送信する（Ｓ５０７）。
【０１７０】
その後、ロビー玄関子機１００は、室内モニタ親機２００からの接続要求確認を受信した場合（Ｓ５０８：ＹＥＳ）、室内モニタ親機２００と接続する（処理終了）。一方、ロビー玄関子機１００は、接続要求を送信してから一定時間経過しても室内モニタ親機２００からの接続要求確認を受信できない場合（Ｓ５０８：ＮＯ、Ｓ５０９：ＹＥＳ）、表示部１１５の液晶ディスプレイに、来訪者に対して再度部屋番号入力および呼出ボタンの押し下げのリトライを促すメッセージ（再呼出通知）を表示する（Ｓ５１０）。フローは、Ｓ５０２に戻る。
【０１７１】
次に、室内モニタ親機２００における接続処理のフローについて図１７を用いて説明する。
【０１７２】
待機状態において（Ｓ６０１)、下り制御スロットを送信した後、ロビー玄関子機１００からの接続要求を捕捉した場合（Ｓ６０２：ＹＥＳ）、室内モニタ親機２００は、スピーカ２０３から呼出音を出力させ（Ｓ６０３）、接続要求確認をロビー玄関子機１００に送信する（Ｓ６０４）。
【０１７３】
＜水晶発振周波数の要件＞
次に、本実施の形態の水晶発振周波数の要件について、図１８を用いて説明する。
【０１７４】
送信側の機器の水晶発振周波数を基準に生成したクロックでサンプリングして生成されたデータのタイムスロットを、受信側の機器の水晶発振周波数を基準に生成したクロックでサンプリングした場合、本実施の形態のシステムはタイムスロット内のシンクパターンの第１ビットで再同期するシステムであるため、同タイムスロット内のシンクパターンの第１ビットから1536ビット（= (2 + 8 + 180 + 2) x 8）後の最終ビットのデータにおいて、送信側のクロックに対する受信側のクロックのずれが最大となる。なお、本システムでは、次のタイムスロットにおいて、シンクパターンの第１ビットで再同期する。
【０１７５】
ここで、システム要件として、上記タイムスロットの1536ビットのデータをサンプリングした場合のクロックのずれの許容範囲が、例えば、１ビットデータ長の１／５（前後１／１０）まで、すなわち±64ppm（= 1/1536 x 1/5 x 1/2）以内とする。送信側のクロックを規準にした場合、受信側のクロックのずれが、常に±64ppm以内になるように受信側の水晶発振周波数が調整されていれば、受信側の機器は受信データを復号処理できる。
【０１７６】
そこで、本実施の形態では、図１８に示すように、規定のデータ数（例えば１００フレーム分のデータ数）で、送信側データ時間６０１と受信側の計測時間６０２との時間差６０３を検出し、その時間差に応じて、受信側の水晶発振周波数を調整する。送信側データ時間６０１とは、送信側の機器の水晶発振周波数を基準に生成された通信用クロックでサンプリングした送信データの規定のデータ数が占める時間（第１時間）である。受信側の計測時間６０２とは、受信側の機器の水晶発振周波数を基準に生成された通信クロックでカウントした規定のデータ数に相当する時間（第２時間）である。
【０１７７】
ここでは、基準時間となる送信側データを室内モニタ親機２００のデータ列とし、比較時間となる受信側データをロビー玄関子機１００、および戸前玄関子機３００で生成したデータ列とする。
【０１７８】
なお、１つのタイムスロットあるいは１つのフレーム（24個のタイムスロット）にて、送信側データ時間と受信側の計測時間との時間差を検出しようとすると、差分の累積が小さく、時間差が短いため、高速のクロックが必要となってしまう。
【０１７９】
また、本実施の形態では、調整幅の最小レンジを、例えばMAX±5ppm等、システム要件に応じて予め決定しておく。調整幅の最小レンジにより、時間差を検出するための計測用クロックの周波数が決まる。
【０１８０】
＜水晶発振周波数制御部の内部構成＞
次に、玄関子機１００の水晶発振周波数制御部１３５の内部構成の詳細について、図１９を用いて説明する。図１９に示すように、水晶発振周波数制御部１３５は、計測用クロック生成部１８１、送信側データ時間計測部１８２、受信側内部時間計測部１８３、受信側時間差計算部１８４および調整値設定部１８５を有する。
【０１８１】
計測用クロック生成部１８１は、水晶発振部１３６の水晶発振周波数を基準に、調整幅の最小レンジに基づく周波数（例えば、48MHz）の計測用クロックを生成し、受信側内部時間計測部１８３および送信側データ時間計測部１８２に計測用クロックを継続的に出力する。ここで、計測用クロックおよび通信用クロックの周波数は、何れも、受信側の機器の水晶発振周波数を基準に生成された既知の値であり、計測用クロックの周波数は通信用クロックの周波数と等しくても良い。
【０１８２】
送信側データ時間計測部１８２は、データ再生部１３３から出力された再生データの規定のデータ数が占める時間（受信データのカウント開始ポイントからカウント終了ポイントまでの時間）（以下、「基準時間」という）を計測する。この基準時間は、送信側の機器である室内モニタ親機２００の内部の発振周波数に基づいて生成された通信用クロックでサンプリングした送信データの規定のデータ数が占める時間（図１８の６０１）に相当する。
【０１８３】
受信側内部時間計測部１８３は、通信用クロックでカウントした規定のデータ数に相当する時間を計測用クロックのカウント数に換算し、計測用クロック生成部１８１から出力された計測用クロックを、カウント開始ポイントから、規定のデータ数に相当する数だけカウントし、計測用クロックのカウント開始から終了までの時間（図１８の６０２）（以下、「比較時間」という）を計測する。なお、送信側データ時間計測部１８２および受信側内部時間計測部１８３におけるカウント開始ポイントに特に限定は無い。
【０１８４】
受信側時間差計算部１８４は、送信側データ時間計測部１８２で計測された基準時間と受信側内部時間計測部１８３で計測された比較時間との差（図１８の６０３）を計算する。
【０１８５】
調整値設定部１８５は、基準時間と比較時間とのずれを減らすために、受信側時間差計算部１８４で計算された時間差に対応する設定値を水晶発振部１３６のレジスタ１９９（図２０参照）に設定し、水晶発振部１３６の発振周波数を調整する。なお、受信側時間差計測部１８４で計算された時間差が所定の閾値以下になった場合には、調整値設定部１８５は、発振周波数の調整を停止しても良い。また、閾値にはヒステリシスを持たせても良い。
【０１８６】
調整値設定部１８５は、室内モニタ親機２００毎に、前回呼出時に調整された前記水晶発振部の発振周波数に対応する設定値をメモリ部１１４に記憶させる。また、調整値設定部１８５は、キー入力部１０２から部屋番号情報および呼出信号を入力すると、メモリ部１１４より、部屋番号情報に対応する室内モニタ親機２００に対する設定値を読み出し、レジスタ１９９に設定する。
【０１８７】
ここでは、ロビー玄関子機１００の水晶発振周波数制御部１３５の内部構成について説明したが、戸前玄関子機３００の水晶発振周波数制御部３３５の内部構成も同様である。
【０１８８】
なお、室内モニタ親機２００の水晶発振周波数は、工場出荷時にセンター値に調整されているものとする。
【０１８９】
なお、本実施の形態では、ロビー玄関子機１００、戸前玄関子機３００における上記の水晶発振周波数の調整動作を、通常動作時の受信データ処理と並行して、バックグランドで実施することができる。これにより、調整用の時間を設定する必要がなく、通常の受信動作で受信データのビットエラーが発生しない初期調整のばらつき範囲内であれば、高精度なデジタル通信を行うことができる。
【０１９０】
また、本実施の形態では、計測用クロック生成部１８１が生成する計測用クロックの代わりに、第１クロック生成部１３１が生成するクロックを計測用クロックとして使用しても良い。
【０１９１】
＜水晶発振部の内部構成＞
次に、玄関子機１００の水晶発振部１３６の内部構成の詳細について、図２０を用いて説明する。図２０に示すように、水晶発振部１３６は、水晶発振子１９０（振動周波数Ｘ１）、インバータ１９１、帰還抵抗１９２（抵抗値Ｒｆ）、ダンピング抵抗１９３（抵抗値Ｒｄ）、バッファ１９４、入力容量１９５（容量値Ｃ２）、出力容量１９６（容量値Ｃ３）からなる一般的なＣＭＯＳインバータ水晶発振回路に、入力容量１９７（容量値Ｃ１）、出力容量１９８（容量値Ｃ４）、レジスタ１９９を追加した構成を採る。
【０１９２】
入力容量１９７の容量値Ｃ１および出力容量１９８の容量値Ｃ４は、予め、レジスタ１９９の初期値に対応する規定値になるように設定される。
【０１９３】
水晶発振周波数制御部１３５（調整値設定部１８５）によってレジスタ１９９に新たな値が設定されると、この値に応じて、入力容量１９７の容量値Ｃ１あるいは出力容量１９８の容量値Ｃ４が調整される。これにより、水晶発振部１３６の発振周波数は、送信側の室内モニタ親機２００の水晶発振周波数に合うように微調整される。水晶発振部１３６の出力信号である発振周波数の電圧振幅信号（周波数信号）は、水晶発振周波数制御部１３５および第１クロック生成部１３１に出力される。
【０１９４】
なお、戸前玄関子機３００の水晶発振部３３６および室内モニタ親機２００の水晶発振部（図示せず）も同様である。
【０１９５】
＜２線ケーブルの無極性化＞
デジタル通信の送受信信号を反転するのは送信側あるいは受信側のどちらか一方でもよい。以下では、ロビー玄関子機１００と室内モニタ親機２００との間で無極性化を実現するための構成について例示する。
【０１９６】
図２１は、２線ケーブルが正接続の状態になっているときの様子を示す模式図である。図２２から図２６は、２線ケーブルが逆接続の状態になっているときの様子を示す模式図である。
【０１９７】
なお、図２２から図２６において、２線ケーブルを使用したデジタル通信の無極性化に密接に関連する部分以外の部分については、図示を省略している。また、図２２から図２５において、ロビー玄関子機１００および室内モニタ親機２００（以下、適宜「機器」と総称する）のそれぞれは、送信データ反転部および受信データ反転部を備えているものとする。上記の説明では、室内モニタ親機２００が送信データ反転部および受信データ反転部を有しない構成について説明したが、以下の説明では、室内モニタ親機２００が送信データ反転部２０９および受信データ反転部２１５を有する場合についても説明する。
【０１９８】
送信データ反転部は、上述の通り、接続状態検出部から出力された反転制御信号（INV CON）に従って、送信データ処理部から出力された送信信号を反転させ、あるいは反転させずに、送信ドライバへ出力する。
【０１９９】
また、受信データ反転部は、上述の通り、接続状態検出部から出力された反転制御信号（INV CON）に従って、受信ドライバから出力された受信信号を反転させ、あるいは反転させずに、受信データ処理部へ出力する。
【０２００】
また、図２１から図２５において、送信データ反転部および受信データ反転部のうち、信号の反転を行わない状態（信号をそのままスルーさせる状態）のものは、破線で示している。また、図２１から図２６における２線ケーブルの２つの線は、２線ケーブルを構成する２本のケーブルを示す。
【０２０１】
図２１に示すように、２線ケーブルが正接続となっている場合、２線ケーブルの両側の機器の間で極性は一致している。従って、両方の機器は、上り信号および下り信号のいずれに対しても反転を行う必要がない。従って、各機器の送信データ反転部１０９、２０９および受信データ反転部１１２、２１５は、信号反転を行わない。
【０２０２】
一方、図２２から図２６に示すように、２線ケーブルが逆接続となっている場合、２線ケーブルの両側の機器の間で極性は逆転している。従って、上り信号および下り信号の両方について、いずれかの機器において信号反転を行う必要がある。
【０２０３】
図２２は、両方の機器において、接続状態検出部１３４、２３４により逆接続の検出を行い、逆接続が検出されたとき、送信データ反転部１０９、２０９が信号反転を開始する例を示す。この場合、ロビー玄関子機１００および室内モニタ親機２００は、必ずしも受信データ反転部１１２、２１５を備える必要がない。
【０２０４】
一方、図２３は、両方の機器において、逆接続が検出されたときに受信データ反転部１１２、２１５が信号反転を開始する例を示す。この場合、ロビー玄関子機１００および室内モニタ親機２００は、必ずしも送信データ反転部１０９、２０９を備える必要がない。
【０２０５】
または、例えば、図２４および図２５に示すように、一方の機器のみにおいて、接続状態検出部により逆接続の検出を行い、逆接続が検出されたとき、当該機器の送信データ反転部および受信データ反転部において、信号反転を開始するようにしてもよい。この場合、他方の機器は、必ずしも接続状態検出部、送信データ反転部および受信データ反転部を備える必要がない。
【０２０６】
さらに、図２６に示すように、ロビー玄関子機１００が、送信データ反転部１０９、受信データ反転部１１２、接続状態検出部１３４の代わりに極性設定部１１７を備え、室内モニタ親機２００が、送信データ反転部２０９、受信データ反転部２１５、接続状態検出部２３４の代わりに極性設定部２１７を備えても良い。また、戸前玄関子機３００が、送信データ反転部３０９、受信データ反転部３１２、接続状態検出部３３４の代わりに、極性設定部１１７と同様の極性設定部（図示せず）を備えても良い。ロビー玄関子機１００の極性設定部１１７は、受信データ処理部１１３とデータ再生部１３３との間に配置される。室内モニタ親機２００の極性設定部２１７は、受信データ処理部２１３とデータ再生部２３３との間に配置される。戸前玄関子機３００の極性設定部は、受信データ処理部３１３とデータ再生部３３３との間に配置される。
【０２０７】
この場合、各機器が、受信データをデコードした後のデータにおいて、シンクパターン（Sync）を用いて２線ケーブルが正接続か逆接続かを判定し、リアルタイムで極性設定を行う。
【０２０８】
図２７は、極性設定部１１７の内部構成を示す図である。図２７に示すように、極性設定部１１７は、受信バッファ１７１、データ反転部１７２、シンクパターン極性判定部１７３、切替スイッチ１７４、を有する。なお、極性設定部２１７も、極性設定部１１７と同様の内部構成をとる。
【０２０９】
受信バッファ１７１は、受信データ処理部１１３から出力された下りパケット（デコードデータ）を取得し、下りパケットに含まれるシンクパターンをシンクパターン極性判定部１７３に出力する。また、受信バッファ１７１は、シンクパターン以降のデータ部（制御データ、ユーザデータおよびチェックサム）を一時的に保存する。データ反転部１７２は、受信バッファ１７１に保存されているデータ部の極性を反転させる。
【０２１０】
シンクパターン極性判定部１７３は、正接続チェック用シンクパターンおよび逆接続チェック用シンクパターンを記憶し、受信バッファ１７１から出力された受信データのシンクパターンを、正接続チェック用シンクパターンおよび逆接続チェック用シンクパターンと照合する（２線ケーブル反転検出）。シンクパターン極性判定部１７３は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、シンクパターン極性判定部１７３は、判定結果に基づいて切替スイッチ１７４を制御する。
【０２１１】
切替スイッチ１７４は、シンクパターン極性判定部１７３の制御に基づいて接続先を切り替え、受信バッファ１７１に保存されているデータ、あるいは、データ反転部１７２で生成されたデータのいずれかを出力する。具体的には、切替スイッチ１７４は、シンクパターン極性判定部１７３において２線ケーブルが正接続であると判定された場合には、受信バッファ１７１に接続し、受信バッファ１７１に保存されているデータをそのままの論理でデータ再生部１３３に出力する。一方、切替スイッチ１７４は、シンクパターン極性判定部１７３において２線ケーブルが逆接続であると判定された場合には、データ反転部１７２に接続し、データ反転部１７２で生成されたデータをデータ再生部１３３に出力する。
【０２１２】
これにより、通常通信時に入力されたデータに対して、受信側だけの処理でリアルタイムに論理判定と論理修正が可能になる。したがって、各機器において、受信データが、正論理あるいは逆論理のいずれで入力された場合でも、正常通信を可能とし、さらにその通信品質の劣化を防ぐことができる。
【０２１３】
上記は、ロビー玄関子機１００を使用して説明したが、室内モニタ親機２００、戸前玄関子機３００の場合も同様である。
【０２１４】
＜実施の形態１の効果＞
以上のように、本実施の形態では、ロビー玄関子機１００が、スター型に配線された２線ケーブルを介して複数の室内モニタ親機のそれぞれと接続する複数の端子Ｔ１２−１〜Ｎを有する。そして、ロビー玄関子機１００が、部屋番号情報および呼出信号を入力した場合、部屋番号情報に対応する室内モニタ親機２００に接続する端子Ｔ１２−ｉと接続し、当該室内モニタ親機２００から下り制御スロットを受信した後、当該室内モニタ親機２００に、接続要求を送信する。これにより、集合住宅用ドアホンシステムにおいて、スター型に配線された既存の２線ケーブルを活用し、ロビー玄関子機１００からの接続要求をトリガとしてロビー玄関子機１００と室内モニタ親機２００との間でデジタル通信を行うことができる。
【０２１５】
また、本実施の形態では、ロビー玄関子機１００が、部屋番号情報および呼出信号を入力した場合、呼出音をスピーカ１０３から出力させ、部屋番号を示すメッセージ情報を表示部１１５に表示させる。これまで、ドアホンシステムでは、ロビー玄関子機１００と室内モニタ親機２００とが接続してから呼出音を出力するのが一般的であった。この場合、部屋番号入力および呼出ボタンの押し下げがあっても、接続処理が完了するまでは呼出音が出力されないので、訪問者は、接続処理が完了するまでに時間がかかると、呼出が行われているか不安になる。一方、本実施の形態では、部屋番号入力および呼出ボタンの押し下げがあると、すぐに呼出音を出力し、部屋番号を表示できるので、来訪者に上記の不安を感じさせることがなくなる。
【０２１６】
また、本実施の形態では、接続要求を送信してから一定時間経過しても接続要求確認を受信できない場合に、部屋番号入力および呼出ボタンの押し下げを促すメッセージを表示部１１５に表示させる。これにより、接続に失敗した場合に、来訪者に、再度、呼出操作を行うよう促すことができ、接続までの時間短縮を図ることができる。
【０２１７】
また、本実施の形態では、水晶発振周波数制御部１３５が、レジスタ１９９の設定値を設定することにより水晶発振部１３６の発振周波数を制御し、室内モニタ親機２００毎に設定値をメモリ部１１４に記憶させる。そして、部屋番号情報を入力した場合、水晶発振周波数制御部１３５が、メモリ部１１４に記憶された、部屋番号情報に対応する室内モニタ親機２００に対する設定値をレジスタ１９９に設定する。これにより、発振周波数の調整時間を短縮することができる。
【０２１８】
＜実施の形態１のバリエーション＞
本実施の形態では、室内モニタ親機２００が、ロビー玄関子機１００および戸前玄関子機３００の両方と同時に通信を行い、ロビー玄関子機１００からの映像データと戸前玄関子機３００からの映像データを２画面で表示させることもできる。
【０２１９】
図２８は、この場合の基本通信フレーム内のタイムスロット割当の一例を示している。図２８の例では、基本通信フレームが、「ＳＬ０」〜「ＳＬ２３」の２４スロットで構成されている。基本通信フレームの「ＳＬ１」〜「ＳＬ１８」は上りスロットであり、「ＳＬ０」および「ＳＬ１９」は下りスロットである。なお、「ＳＬ２０」〜「ＳＬ２３」は、リザーブのスロットであり、コマンド用タイムスロットとして使用しても良い。特に、「ＳＬ２３」は、同期フレーム内の指定タイムスロットとして、上り／下りの双方で使用される。
【０２２０】
上りスロット「ＳＬ１」〜「ＳＬ１８」の内、「ＳＬ１」〜「ＳＬ１６」は画像用タイムスロットであり、「ＳＬ１７」、「ＳＬ１８」は音声用タイムスロットである。
【０２２１】
画像用タイムスロットの内、「ＳＬ１」、「ＳＬ３」、「ＳＬ５」、「ＳＬ７」、「ＳＬ９」、「ＳＬ１１」、「ＳＬ１３」、「ＳＬ１５」は、ロビー玄関子機１００からの映像用（ｃｈ１）に割り当てられたタイムスロットであり、「ＳＬ２」、「ＳＬ４」、「ＳＬ６」、「ＳＬ８」、「ＳＬ１０」、「ＳＬ１２」、「ＳＬ１４」、「ＳＬ１６」は、戸前玄関子機３００からの映像用（ｃｈ２）に割り当てられたタイムスロットである。
【０２２２】
音声用タイムスロットの内、「ＳＬ１７」は、ロビー玄関子機１００からの音声用（ｃｈ１）に割り当てられたタイムスロットであり、「ＳＬ１８」は、戸前玄関子機３００からの音声用（ｃｈ２）に割り当てられたタイムスロットである。
【０２２３】
下りスロット「ＳＬ０」は制御スロットである。また、下りスロット「ＳＬ１９」は、室内モニタ親機２００からの音声用に割り当てられたスロットである。
【０２２４】
このように、上りの画像用タイムスロットを２系列に分けることにより、室内モニタ親機２００は、ロビー玄関子機１００からの映像データと戸前玄関子機３００からの映像データの両方を受信できる。
【０２２５】
なお、居住者の選択により、室内モニタ親機２００は、ロビー玄関子機１００からの音声データと戸前玄関子機３００からの音声データの一方を出力させることもできる。
【０２２６】
また、居住者の選択により、室内モニタ親機２００は、ロビー玄関子機１００からの映像データと戸前玄関子機３００からの映像データの一方を表示させることもできる。
【０２２７】
また、居住者の選択により、室内モニタ親機２００は、音声データを、ロビー玄関子機１００あるいは戸前玄関子機３００の一方に送信することもでき、両方に送信することもできる。
【０２２８】
（実施の形態２）
実施の形態２においては、実施の形態１で説明した室内モニタ親機２００、ロビー玄関子機１００が、それぞれ変更になる部分があるため、以下、室内モニタ親機２００Ａ、ロビー玄関子機１００Ａとする。
【０２２９】
実施の形態２では、室内モニタ親機２００Ａからの要求によっても、ロビー玄関子機１００Ａと室内モニタ親機２００Ａとを接続できるシステムについて説明する。なお、本実施の形態のシステム構成は、実施の形態１で説明した図１と同一であるので説明を省略する。また、本実施の形態の戸前玄関子機３００の構成は、実施の形態１で説明した図６と同一であるので説明を省略する。
【０２３０】
＜ロビー玄関子機の構成＞
次に、本実施の形態のロビー玄関子機１００Ａの構成について、図２９のブロック図を用いて説明する。なお、図２９に示すロビー玄関子機１００Ａにおいて、図３に示したロビー玄関子機１００と共通する構成部分には、図３と同一符号を付し、説明を省略する。ロビー玄関子機１００Ａは、ロビー玄関子機１００と比較して、ケーブル選択接続部１０１Ａの内部構成がケーブル選択接続部１０１のものと異なり（図３０参照）、ケーブル選択接続部１０１Ａおよび接続先選択部１４３Ａに機能が追加される。
【０２３１】
ケーブル選択接続部１０１Ａは、室内モニタ親機２００Ａから所定値以上の電圧が供給されたことを検知した場合、モニタ要求している室内モニタ親機２００Ａを示すモニタ制御信号を接続先選択部１４３Ａに出力する。
【０２３２】
接続先選択部１４３Ａは、ケーブル選択接続部１０１Ａからモニタ制御信号を入力した場合、モニタ要求している室内モニタ親機２００Ａに接続する端子Ｔ１２−ｉを選択し、その旨を示す経路設定信号をケーブル選択接続部１０１Ａに出力する。この結果、モニタ要求している室内モニタ親機２００Ａとロビー玄関子機１００Ａとが接続される。
【０２３３】
＜ケーブル選択接続部の内部構成＞
次に、本実施の形態のケーブル選択接続部１０１Ａの内部構成の詳細について、図３０を用いて説明する。なお、図３０に示すケーブル選択接続部１０１Ａにおいて、図４に示したケーブル選択接続部１０１と共通する構成部分には、図４と同一符号を付し、説明を省略する。ケーブル選択接続部１０１Ａは、ケーブル選択接続部１０１と比較して、電圧検知部１６４−１〜Ｎ、インダクタＬ１−１〜Ｎ、Ｌ２−１〜Ｎを追加した構成を採る。
【０２３４】
ここで、インダクタＬ１−１〜Ｎ、Ｌ２−１〜Ｎは、２線ケーブル側の直流分を通過させ、通信データの帯域は通過させないフィルタの機能を果たす。これにより、電圧検知部１６４−１〜Ｎには、直流分だけが入力され、通信データはその帯域がハイインピーダンスとなるため入力されない。ゆえに、２線ケーブル上に直流分と通信データを重畳させて、電圧検出部１６４−１〜Ｎで直流を検出する構成にしても、スイッチ回路部１６３−１〜Ｎに入力される通信データには直流分が影響しない。
【０２３５】
電圧検知部１６４−１〜Ｎは、それぞれ、２線ケーブルを介して、対応する室内モニタ親機２００Ａと接続し、接続先の室内モニタ親機２００Ａからの電圧を検知する。キー入力部２０２Ａのキー押下等により、室内モニタ親機２００Ａから、ロビー玄関子機１００Ａのカメラ部１０６でのモニタを要求するトリガが入力されると、室内モニタ親機２００Ａから２線ケーブルのそれぞれには、直流の第１の電位および直流の第２の電位が重畳される。２線ケーブル間には第１の電位と第２の電位の電位差である所定値以上の電圧が生じる。電圧検知部１６４−１〜Ｎは、２線ケーブルが正接続および逆接続の双方の場合において検出可能となるように、２線ケーブル間の直流の第１の電位および直流の第２の電位の電位差の絶対値が閾値以上の電圧になった場合、その旨を示すモニタ制御信号を接続先選択部１４３Ａに出力する。この結果、閾値以上の電圧を供給している室内モニタ親機２００Ａが通信相手として選択される。
【０２３６】
＜室内モニタ親機の構成＞
次に、室内モニタ親機２００Ａの構成について、図３１のブロック図を用いて説明する。なお、図３１に示す室内モニタ親機２００Ａにおいて、図５に示した室内モニタ親機２００と共通する構成部分には、図５と同一符号を付し、説明を省略する。室内モニタ親機２００Ａは、室内モニタ親機２００と比較して、接続スイッチ部２１６を追加した構成を採り、キー入力部２０２Ａおよび制御部２０７Ａに機能が追加される。また、２０１Ａ−１へは、接続スイッチ部２１６を介して電源部２５０から直流電圧が印加される。
【０２３７】
キー入力部２０２Ａは、モニタボタンを含み、モニタボタンが操作されたとき、その旨を示すモニタ要求信号を制御部２０７Ａに出力する。
【０２３８】
制御部２０７Ａは、キー入力部２０２Ａからモニタ要求信号を入力すると、ロビー玄関子機１００Ａに電圧を供給するための電圧供給信号を接続スイッチ部２１６に出力する。
【０２３９】
接続スイッチ部２１６のスイッチＳＷ２１は、通常時には、開放されている（Open）。接続スイッチ部２１６は、制御部２０７Ａから電圧供給信号を入力すると、スイッチＳＷ２１を閉鎖させる（Closing）。これにより、所定値以上の電圧が、室内モニタ親機２００Ａ（ケーブル接続部２０１Ａ−１）から２線ケーブルを介してロビー玄関子機１００Ａに供給され、当該室内モニタ親機２００Ａからのモニタ要求がロビー玄関子機１００Ａに伝えられる。
【０２４０】
＜ケーブル接続部の内部構成＞
次に、本実施の形態のケーブル接続部２０１Ａ−１の内部構成の詳細について、図３２を用いて説明する。図３２に示すように、ケーブル接続部２０１−１は、終端回路部２６１、パルストランス２６２、コンデンサＣ２１、Ｃ２２、インダクタＬ２１、Ｌ２２を有している。
【０２４１】
ここで、インダクタＬ２１、Ｌ２２は、接続スイッチ２１６側から供給される直流分を通過させ、２線ケーブル上の通信データを接続スイッチ２１６側に通過させないフィルタの機能を果たす。
【０２４２】
また、直流の２線ケーブルへの重畳に関して、電源部２５０の出力のプラス側に接続スイッチ部２１６のスイッチＳＷ２１の第１の入力側に接続し、前記スイッチＳＷ２１の第１の出力側をケーブル接続部２０１Ａ−１に入力する。また、電源部２５０の出力のマイナス側を室内モニタ親機のＧＮＤとして、接続スイッチ部２１６のスイッチＳＷ２１の第２の入力側に接続し、前記スイッチＳＷ２１の第２の出力側をケーブル接続部２０１Ａ−１に入力する。なお、接続スイッチ部２１６内のスイッチＳＷ２１の２つのスイッチ回路は連動して動作するものとする。
【０２４３】
送信ドライバ２１０−１から出力された下り信号は、終端回路部２６１、パルストランス２６２、コンデンサＣ２１、Ｃ２２、２線ケーブルを介してロビー玄関子機１００Ａに送信される。ロビー玄関子機１００Ａから送信された上り信号は、２線ケーブル、コンデンサＣ２１、Ｃ２２、パルストランス２６２、終端回路部２６１を介して受信ドライバ２１１−１に受信される。
【０２４４】
接続スイッチ部２１６を通過した所定値以上の電圧は、インダクタＬ２１、Ｌ２２、２線ケーブルを介してロビー玄関子機１００に供給される。
【０２４５】
＜実施の形態２の効果＞
以上のように、本実施の形態では、ロビー玄関子機１００Ａが、室内モニタ親機２００Ａから閾値以上の電圧が供給されていることを検知した場合、当該室内モニタ親機２００Ａに接続する端子Ｔ１２−ｉと接続し、当該室内モニタ親機２００Ａに、接続要求を送信する。これにより、集合住宅用ドアホンシステムにおいて、スター型に配線された既存の２線ケーブルを活用し、室内モニタ親機２００Ａからの要求によってロビー玄関子機１００Ａと室内モニタ親機２００Ａとの間でデジタル通信を行うことができる。
【０２４６】
また、本実施の形態では、室内モニタ親機２００Ａにおいて、戸前玄関子機３００へ供給している電源電圧を、ロビー玄関子機１００Ａにも供給することによって、ロビー玄関子機１００Ａにモニタ要求を伝える。これにより、室内モニタ親機２００Ａに元々備えられている構成を利用することができるので、装置の大型化を防ぐことができる。
【０２４７】
＜実施の形態２のバリエーション＞
本実施の形態では、ロビー玄関子機１００Ａに対して、複数の室内モニタ親機２００Ａからモニタ要求があった（閾値以上の電圧の供給があった）場合、接続先選択部１４３Ａが、最も早くモニタ要求を行った室内モニタ親機２００Ａを通信相手として選択しても良い。
【０２４８】
この場合、モニタ要求が、他の室内モニタ親機２００Ａよりも遅かったために、無視された室内モニタ親機２００Ａが、モニタできないことを示すメッセージをディスプレイ部２０６に表示させる、あるいは、スピーカ２０３から音声出力させるようにしても良い。
【０２４９】
また、本実施の形態では、室内モニタ親機２００Ａがロビー玄関子機１００Ａのカメラ部１０６を用いてモニタしているときに、訪問者がロビー玄関子機１００Ａの部屋番号入力および呼出ボタンの押し下げの操作をした場合、接続先選択部１４３Ａが、呼出を優先し、モニタ動作を中止するようにしても良い。
【０２５０】
この場合、モニタ動作を中止された室内モニタ親機２００Ａが、モニタできないことを示すメッセージをディスプレイ部２０６に表示させる、あるいは、スピーカ２０３から音声出力させるようにしても良い。
【産業上の利用可能性】
【０２５１】
本開示は、デジタル通信方式の集合住宅用ドアホンシステムに用いるに好適である。
【符号の説明】
【０２５２】
１  ドアホンシステム
１００、１００Ａ  ロビー玄関子機
１０１、１０１Ａ  ケーブル選択接続部
１０２、２０２、２０２Ａ、３０２  キー入力部
１０３、２０３、３０３  スピーカ
１０４、２０４、３０４  マイク
１０５、２０５、３０５  音声Ｉ／Ｆ部
１０６、３０６  カメラ部
１０７  第１制御部
１０８、２０８、３０８  送信データ処理部
１０９、２０９、３０９  送信データ反転部
１１０、２１０、３１０  送信ドライバ
１１１、２１１、３１１  受信ドライバ
１１２、２１５、３１２  受信データ反転部
１１３、２１３、３１３  受信データ処理部
１１４、２１４、３１４  メモリ部
１１５  表示部
１１６  第２制御部
１１７、２１７  極性設定部
１３１、２３１、３３１  第１クロック生成部
１３２、２３２、３３２  パケット生成部
１３３、２３３、３３３  データ再生部
１３４、３３４  接続状態検出部
１３５、３３５  水晶発振周波数制御部
１３６、３３６  水晶発振部
１４１  呼出音指示部
１４２  表示信号通知部
１４３、１４３Ａ  接続先選択部
１５０、２５０、３５０  電源部
１５１  第１のユニークパターン検出部
１５２  第２のユニークパターン検出部
１５３  イネーブル信号生成部
１５４  タイミング調整部
１５５  受信データ復号部
１５６  第２クロック生成部
１６１  終端回路部
１６２  パルストランス
１６３  スイッチ回路部
１６４  電圧検知部
１７１  受信バッファ
１７２  データ反転部
１７３  シンクパターン極性判定部
１７４  切替スイッチ
１８１  計測用クロック生成部
１８２  送信側データ時間計測部
１８３  受信側内部時間計測部
１８４  受信側時間差計算部
１８５  調整値設定部
１９０  水晶発振子
１９１  インバータ
１９２  帰還抵抗
１９３  ダンピング抵抗
１９４  バッファ
１９５、１９７  入力容量
１９６、１９８  出力容量
１９９  レジスタ
２００、２００Ａ  室内モニタ親機
２０１、２０１Ａ、３０１  ケーブル接続部
２０６  ディスプレイ部
２０７、２０７Ａ、３０７  制御部
２１２  ルーティング制御部
２１６  接続スイッチ部
３００  戸前玄関子機
【図１】
2019054446.tif 000003
【図２Ａ】
2019054446.tif 000004
【図２Ｂ】
2019054446.tif 000005
【図２Ｃ】
2019054446.tif 000006
【図２Ｄ】
2019054446.tif 000007
【図２Ｅ】
2019054446.tif 000008
【図２Ｆ】
2019054446.tif 000009
【図２Ｇ】
2019054446.tif 000010
【図２Ｈ】
2019054446.tif 000011
【図２Ｉ】
2019054446.tif 000012
【図３】
2019054446.tif 000013
【図４】
2019054446.tif 000014
【図５】
2019054446.tif 000015
【図６】
2019054446.tif 000016
【図７】
2019054446.tif 000017
【図８】
2019054446.tif 000018
【図９】
2019054446.tif 000019
【図１０】
2019054446.tif 000020
【図１１】
2019054446.tif 000021
【図１２】
2019054446.tif 000022
【図１３】
2019054446.tif 000023
【図１４】
2019054446.tif 000024
【図１５】
2019054446.tif 000025
【図１６】
2019054446.tif 000026
【図１７】
2019054446.tif 000027
【図１８】
2019054446.tif 000028
【図１９】
2019054446.tif 000029
【図２０】
2019054446.tif 000030
【図２１】
2019054446.tif 000031
【図２２】
2019054446.tif 000032
【図２３】
2019054446.tif 000033
【図２４】
2019054446.tif 000034
【図２５】
2019054446.tif 000035
【図２６】
2019054446.tif 000036
【図２７】
2019054446.tif 000037
【図２８】
2019054446.tif 000038
【図２９】
2019054446.tif 000039
【図３０】
2019054446.tif 000040
【図３１】
2019054446.tif 000041
【図３２】
2019054446.tif 000042